(57)【要約】【課題】ＶＨＦ放送受信時にイメージ妨害が発生する。【解決手段】ＵＨＦ信号受信部６０とＶＨＦ信号受信部６１とを有した高周波受信装置において、ＶＨＦ信号受信部６１は、同調フィルタ６２、６４と、この同調フィルタ６２、６４の出力がその一方の入力が接続されるとともに、他方の入力には局部発振器５６の発振周波数を分周した信号が供給される混合器６５と、局部発振器５６にループ接続されるとともにその出力が同調フィルタ６２、６４へ接続されたＰＬＬ回路７８とを有し、前記混合器はイメージ・リジェクション・ミキサとしたものである。  これにより、イメージ妨害が発生し易いＶＨＦ放送の周波数帯域に対してイメージ・リジェクション・ミキサの構成をとることとなるので、ＰＬＬ回路７８からの同調電圧に対して、同調フィルタ６２、６４の通過帯域の中心と、受信希望チャンネルの周波数とが完全に合致しなくても、イメージ妨害信号を抑圧できる。【選択図】図１
2005123690.tif 000002
【特許請求の範囲】
【請求項１】
ＵＨＦ放送信号と、ＶＨＦ放送信号を含む高周波信号が入力される入力端子と、この入力端子に接続されるＵＨＦ用同調フィルタと、このＵＨＦ用同調フィルタの出力がその一方の入力に供給されるとともに、前記ＵＨＦ放送信号を中間周波数信号へ変換し、出力端子に供給する第１の混合器とからなるＵＨＦ信号受信部と、前記入力端子に接続されるＶＨＦ用同調フィルタと、このＶＨＦ用同調フィルタの出力がその一方の入力が接続されるとともに、前記ＶＨＦ放送信号を前記中間周波数信号へ変換し、前記出力端子へ供給する第２の混合器とからなるＶＨＦ信号受信部と、前記第１の混合器及び前記第２の混合器のそれぞれの他方の入力に局部発振信号を供給する１つの局部発振器と、この局部発振器にループ接続されるとともにその出力が前記ＶＨＦ用及びＵＨＦ用同調フィルタへ接続されたＰＬＬ回路とから成る高周波受信装置において、前記ＰＬＬ回路から出力される同調電圧によって、前記局部発振器の発振周波数と少なくとも前記ＶＨＦ用同調フィルタの通過周波数を制御し、前記第２の混合器は、前記ＶＨＦ用同調フィルタの出力が共に接続される第３の混合器と第４の混合器とからなり、前記第３の混合器の出力が接続される９０度移相器と、この９０度移相器の出力が一方の入力に接続されるとともに他方の入力には前記第４の混合器の出力が接続され、その出力が前記出力端子に接続された合成器と、前記局部発振器の出力が接続され、その一方の出力が前記第３の混合器の他方の入力に接続されるとともに他方の出力が前記第４の混合器の他方の入力に接続される分周器とを有し、前記分周器は、前記局部発振信号を分周するとともに、前記第３の混合器と前記第４の混合器に互いに９０度位相の異なる信号を供給する高周波受信装置。
【請求項２】
局部発振器は、発振部と、この発振部の入力に接続された発振用可変容量ダイオードと第１のキャパシタとの直列接続体と、この直列接続体に並列接続されたインダクタとを含む同調部とから成り、ＰＬＬ回路は、同調電圧を前記発振用可変容量ダイオードのカソード側に供給するとともに、ＵＨＦ用同調フィルタとＶＨＦ用同調フィルタに設けられた夫々の可変容量ダイオードのカソード側にも供給する高周波受信装置において、前記高周波受信装置は、前記同調部と前記発振部との間に発振周波数変化手段が挿入され、この発振周波数変化手段は、ＶＨＦ放送信号受信時とＵＨＦ放送信号受信時では、前記ＰＬＬ回路から供給される同調電圧に対する前記局部発振器の発振周波数特性を微小変化させて、前記ＵＨＦ放送信号を受信する場合には、前記ＵＨＦ用同調フィルタの周波数特性に連動するとともに、ＶＨＦ放送信号を受信する場合には、前記ＶＨＦ用同調フィルタの周波数特性に連動して、予め定められた周波数だけ異なる発振信号を得る請求項１に記載の高周波受信装置。
【請求項３】
発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項２に記載の高周波受信装置。
【請求項４】
第１のキャパシタは、第３のキャパシタと、この第３のキャパシタに並列に接続された第４のキャパシタとから成り、容量変化手段は、前記第４のキャパシタと発振部との間に接続されるとともに、受信する周波数帯域に応じて前記第４のキャパシタの値を選択的に切り替える請求項３に記載の高周波受信装置。
【請求項５】
第４のキャパシタは、複数のキャパシタにより構成され、容量変化手段は、前記複数のキャパシタの少なくともひとつに接続されて、受信する周波数帯域に応じて前記第３のキャパシタの値を選択的に切り替える請求項４に記載の高周波受信装置。
【請求項６】
第２のキャパシタは、複数のキャパシタより構成され、容量変化手段は、前記複数のキャパシタの少なくともひとつのキャパシタに接続されて、受信する周波数帯域に応じて前記第２のキャパシタの値を切り替える請求項３に記載の高周波受信装置。
【請求項７】
可変容量ダイオードと、発振用可変容量ダイオードとは、略等しい容量変化特性とした請求項２に記載の高周波受信装置。
【請求項８】
第１の可変容量ダイオードと、第２の可変容量ダイオードと、発振用可変容量ダイオードとの容量変化比の値は、受信する周波数帯域の内でその帯域幅が最も大きな周波数帯域に対し必要な容量変化比の値と略等しくした請求項７に記載の高周波受信装置。
【請求項９】
ＶＨＦ放送信号は、ＶＨＦハイバンドの周波数帯域内の放送信号とし、前記ＶＨＦ放送信号受信時には分周器の分周比を１／２とするとともに、局部発振器の発振周波数は、約３６０ＭＨｚから約９００ＭＨｚの範囲とした請求項１に記載の高周波受信装置。
【請求項１０】
ＶＨＦ放送信号は、ＶＨＦロウバンドの周波数帯域内の放送信号とし、前記ＶＨＦ放送信号受信時に、分周器の分周比を１／４とするとともに、局部発振器の発振周波数は、約３６０ＭＨｚから約９００ＭＨｚの範囲とした請求項１に記載の高周波受信装置。
【請求項１１】
ＶＨＦ放送信号は、ＶＨＦロウバンドの周波数帯域内の放送信号とし、前記ＶＨＦ放送信号受信時に、分周器の分周比を１／５とするとともに、局部発振器の発振周波数は、約３６０ＭＨｚから約９００ＭＨｚの範囲とした請求項１に記載の高周波受信装置。
【請求項１２】
ＶＨＦ放送信号を受信する場合には、分周器から出力される分周信号をＰＬＬ回路へ供給する請求項１に記載の高周波受信装置。
【請求項１３】
ＵＨＦ放送信号と、ＶＨＦ放送信号を含む高周波信号が入力される入力端子と、この入力端子に接続されるＵＨＦ用同調フィルタと、このＵＨＦ用同調フィルタの出力がその一方の入力に供給されるとともに他方の入力には局部発振器の出力が供給されるミキサ回路と、このミキサ回路の出力が供給される出力端子と、前記入力端子に接続されるＶＨＦ用同調フィルタと、このＶＨＦ用同調フィルタと前記出力端子との間に挿入されるとともに３個以上の混合器で構成されたＨＲＭ（ハーモニック・リジェクション・ミキサ）と、前記局部発振器にループ接続されるとともにその出力が前記ＶＨＦ用及びＵＨＦ用同調フィルタへ接続されたＰＬＬ回路とから成る高周波受信装置であって、前記ＰＬＬ回路から出力される同調電圧によって、前記局部発振器の発振周波数と少なくとも前記ＶＨＦ用同調フィルタの通過周波数を制御し、前記ＨＲＭはその一方の入力には前記ＶＨＦ用同調フィルタの出力が供給されるとともに、他方の入力には前記局部発振器の出力が接続され、前記ＨＲＭの夫々の混合器と前記局部発振器との間に設けられた移相器は、予め定められた量だけ互いに位相が異なる信号を前記それぞれの混合器へ供給するとともに、前記局部発振器の周波数を分周する高周波受信装置。
【請求項１４】
ＨＲＭの混合器の数は３以上とするとともに移相器での分周比は１／３以下とした請求項１３に記載の高周波受信装置。
【請求項１５】
ＵＨＦ放送信号と、ＶＨＦ放送信号を含む高周波信号が入力される入力端子と、この入力端子に接続されるＵＨＦ用同調フィルタと、このＵＨＦ用同調フィルタと並列に接続されたＶＨＦ用同調フィルタと、このＶＨＦ用同調フィルタの出力と前記ＵＨＦ用同調フィルタの出力とが供給されて中間周波数信号へ変換する第１の混合器と、この第１の混合器の出力が供給される出力端子と、前記第１の混合器へ局部発振信号を供給する局部発振器と、前記局部発振器にループ接続されるとともにその出力が前記ＶＨＦ用及びＵＨＦ用同調フィルタへ接続されたＰＬＬ回路とから成り、前記ＰＬＬ回路から出力される同調電圧によって、前記局部発振器の発振周波数とＶＨＦ用同調フィルタ及びＵＨＦ用同調フィルタの通過周波数を制御する高周波受信装置であって、前記高周波受信装置は、前記ＵＨＦ用同調フィルタとＶＨＦ用同調フィルタとの出力が供給される第２の混合器と、この第２の混合器の出力が接続される移相器と、前記第１の混合器と前記出力端子との間に挿入されて、前記第１の混合器の出力がその一方の入力に接続されるとともに他方の入力には前記移相器の出力が接続される合成器と、前記局部発振器の出力に接続されるとともにその一方の出力が前記第１の混合器に接続される切り替え手段と、この切り替え手段の他方の出力に接続されて、前記局部発振信号を分周した信号を前記第１の混合器と前記第２の混合器とに互いに９０度位相の異なる信号を供給する分周器とを有し、前記切り替え手段は、前記ＵＨＦ放送信号を受信する場合には前記第１の混合器側へ接続するとともに、ＶＨＦ放送信号を受信する場合には前記分周器側へ接続する高周波受信装置。
【請求項１６】
第１の周波数帯域の信号と、この第１の周波数帯域よりも低い第２の周波数帯域の信号とを含む高周波信号が入力される入力端子と、この入力端子に接続される同調フィルタと、このフィルタの出力がその一方の入力に供給されるとともに、前記第１の周波数帯域の信号を中間周波数信号へ変換し、出力端子に供給する第１の混合器とからなる第１の受信部と、前記同調フィルタの出力がその一方の入力が接続されるとともに、前記第２の周波数帯域の信号を前記中間周波数信号へ変換し、前記出力端子へ供給する第２の混合器とからなる第２の受信部と、前記第１の混合器及び前記第２の混合器それぞれの他方の入力に局部発振信号を供給する１つの局部発振器と、前記局部発振器にループ接続されるとともにその出力が前記同調フィルタへ接続されたＰＬＬ回路とから成る高周波受信装置において、前記高周波受信装置は、前記ＰＬＬ回路から出力される同調電圧によって、前記局部発振器の発振周波数と少なくとも前記同調フィルタの通過周波数を制御し、前記第１の混合器は前記同調フィルタの出力が接続される第３の混合器と、この第３の混合器の出力が接続される９０度移相器と、前記同調フィルタの出力が接続される第４の混合器と、前記第３の混合器の出力と前記出力端子との間に挿入され、その一方の入力が前記９０度移相器の出力に接続されるとともに他方の入力には前記第４の混合器の出力が接続される合成器とからなり、前記第２の混合器は前記同調フィルタの出力が接続される第５の混合器と、この第５の混合器の出力が接続される９０度移相器と、前記同調フィルタの出力が接続される第６の混合器と、前記第５の混合器の出力と前記出力端子との間に挿入され、その一方の入力が前記９０度移相器の出力に接続されるとともに他方の入力には前記第６の混合器の出力が接続される合成器と、前記局部発振器の発振周波数信号を少なくとも１／２以下の周波数へ分周するとともに、前記第１の混合器と前記第２の混合器に互いに９０度位相の異なる信号を供給する分周器と、この分周器に接続された切り替え手段とからなり、前記切り替え手段は、受信する周波数帯域に応じて前記分周器での分周比を切り替えるとともに、前記第３の混合器と前記第４の混合器あるいは第５と第６の混合器のいずれか一方に互いに９０度位相の異なる信号を供給する高周波受信装置。
【請求項１７】
第１の周波数帯域はＵＨＦ放送の周波数帯域とするとともに、第２の周波数帯域はＶＨＦ放送の周波数帯域とし、前記ＵＨＦ放送信号受信時には分周比を１／２とするとともに、局部発振器の発振周波数は、約７２０ＭＨｚから約１８００ＭＨｚの範囲とした請求項１６に記載の高周波受信装置。
【請求項１８】
第１の周波数帯域としてＶＨＦハイバンドを用いるとともに、第２の周波数帯域としてＶＨＦロウバンドを用い、これらの周波数帯域を受信する場合における局部発振器の発振周波数は、約３６０ＭＨｚから約９００ＭＨｚの範囲とし、切り替え手段は、前記ＶＨＦハイバンド受信時に前記分周器の分周比を１／２とするとともに、前記ＶＨＦロウバンド受信時に前記分周器の分周比を１／４とする請求項１６に記載の高周波受信装置。
【請求項１９】
分周器は、局部発振器の出力周波数を１／２に分周する第１の固定分周器と、この第１の固定分周器に直列に接続された第２の固定分周器とから構成され、切り替え手段はその入力が前記第１の固定分周器に接続され、その一方の出力が前記第２の固定分周器に接続されるとともに、他方の出力が前記第１の局部発振器へ接続された請求項１６に記載の高周波受信装置。
【請求項２０】
第１の周波数帯域の信号と、この第１の周波数帯域より低い第２の周波数帯域の信号とを含む高周波信号が入力される入力端子と、この入力端子に接続される第１の同調フィルタと、この第１の同調フィルタと並列に接続された第２の同調フィルタと、この第２の同調フィルタの出力と前記第１の同調フィルタの出力とがその一方の入力に供給されるとともに、他方の入力には局部発振器の出力が供給される第１の混合器と、この混合器の出力がその一方の入力に供給される合成器と、この合成器の出力が供給される出力端子と、前記第２の同調フィルタの出力と前記第１の同調フィルタの出力が一方の入力に供給されるとともに、他方の入力には前記局部発振器の出力が供給される第２の混合器と、この第２の混合器の出力と前記合成器の他方の入力の間に挿入される移相器と、前記局部発振器にループ接続されるとともにその出力が前記第１の同調フィルタと前記第２の同調フィルタに接続されたＰＬＬ回路とを有し、前記ＰＬＬ回路は、その出力信号によって前記局部発振器の発振周波数と前記第１の同調フィルタと前記第２の同調フィルタとの通過周波数を制御する高周波受信装置において、前記高周波受信装置は、前記局部発振器の発振周波数信号を少なくとも１／２以下の周波数へ分周するとともに、前記第１の混合器と前記第２の混合器に互いに９０度位相の異なる信号を供給する分周器と、この分周器に接続された切り替え手段とを有し、前記切り替え手段は受信する周波数帯域に応じて前記分周器の分周比を切り替える高周波受信装置。
【請求項２１】
第１の周波数帯域の信号と、この第１の周波数帯域よりも低い第２の周波数帯域の信号とを含む高周波信号が入力される入力端子と、この入力端子に接続される同調フィルタと、このフィルタの出力が供給されるとともに２個の混合器で構成されたＩＲＭ（イメージ・リジェクション・ミキサ）と、このＩＲＭの出力が供給された出力端子と、前記同調フィルタの出力に接続されるとともに、３個以上の混合器によって構成されたＨＲＭ（ハーモニック・リジェクション・ミキサ）と、前記ＩＲＭ及び前記ＨＲＭに局部発振信号を供給する１つの局部発振器と、この局部発振器にループ接続されるとともにその出力が前記同調フィルタへ接続されたＰＬＬ回路とから成る高周波受信装置において、前記ＰＬＬ回路から出力される同調電圧によって、前記局部発振器の発振周波数と少なくとも前記同調フィルタの通過周波数を制御し、前記ＩＲＭと前記ＨＲＭとの夫々の混合器と前記局部発振器との間に設けられた移相器は予め定められた量互いに位相の異なる信号を前記それぞれの混合器へ供給するとともに、前記局部発振器の周波数を分周する高周波受信装置。
【請求項２２】
第２の周波数帯域はＶＨＦロウバンドとした請求項２１に記載の高周波受信装置。
【請求項２３】
ＨＲＭの混合器の数は３以上とするとともに移相器での分周比は１／３以下とした請求項２２に記載の高周波受信装置。
【請求項２４】
請求項１に記載の高周波受信装置を形成する第１の混合器と第２の混合器とＰＬＬ回路と局部発振器とが集積化されたことを特徴とする集積回路。
【請求項２５】
請求項２に記載の高周波受信装置を形成する第１の混合器と第２の混合器とＰＬＬ回路と発振部と発振周波数変化手段とが集積化されたことを特徴とする集積回路。
【請求項２６】
請求項３に記載の高周波受信装置を形成する第１の混合器と第２の混合器とＰＬＬ回路と発振部と容量変化手段とが集積化されたことを特徴とする集積回路。
【請求項２７】
請求項４に記載の高周波受信装置を形成する第１の混合器と第２の混合器とＰＬＬ回路と発振部と選択手段とが集積化されたことを特徴とする集積回路。
【請求項２８】
請求項５に記載の高周波受信装置を形成する第１の混合器と第２の混合器とＰＬＬ回路と発振部と選択手段とが集積化されたことを特徴とする集積回路。
【請求項２９】
請求項４と請求項６に記載の高周波受信装置を形成する第１の混合器と第２の混合器とＰＬＬ回路と発振部と選択手段とが、少なくとも集積化された集積回路において、前記集積回路における前記発振部と同調部を接続する接続端子の配置は、発振用可変容量ダイオードと第１のキャパシタとの直列接続体と、この直列接続体と並列に接続されたインダクタの両端が接続される接続端子の間に第２及び第４のキャパシタを接続する接続端子を配置した集積回路。
【請求項３０】
請求項１３に記載の高周波受信装置を形成するＩＲＭとＨＲＭとＰＬＬ回路と局部発振器とが、少なくとも集積化されたことを特徴とする集積回路。
【請求項３１】
請求項１５に記載の高周波受信装置を形成する第１の混合器とＰＬＬ回路と局部発振器と第２の混合器と移相器と分周器と切り替え手段とが、少なくとも集積化されたことを特徴とする集積回路。
【請求項３２】
請求項１６に記載の高周波受信装置を形成する第１の混合器と第２の混合器とＰＬＬ回路と局部発振器とが、少なくとも集積化されたことを特徴とする集積回路。
【請求項３３】
請求項２０に記載の高周波受信装置を形成する第１の混合器と第２の混合器と移相器とＰＬＬ回路と局部発振器と分周器とが、少なくとも集積化されたことを特徴とする集積回路。
【請求項３４】
請求項２１に記載の高周波受信装置を形成するＩＲＭとＨＲＭとＰＬＬ回路と局部発振器とが、少なくとも集積化されたことを特徴とする集積回路。
【発明の詳細な説明】
【技術分野】
【０００１】
本発明は、テレビジョン受信チューナ等に用いられる高周波受信装置とそれに用いる集積回路に関するものである。
【背景技術】
【０００２】
以下、従来の高周波受信装置について図面を用いて説明する。図１１は従来の高周波受信装置のブロック図である。
【０００３】
図１２において１は入力端子である。この入力端子１には５５．２５ＭＨｚから８０１．２５ＭＨｚまでの高周波信号が入力される。２は、入力端子１に入力された高周波信号が供給されるとともに、１つの可変容量ダイオードから構成された単同調型のフィルタである。この単同調フィルタ２の同調周波数は、ＵＨＦ放送帯域（３６７．２５ＭＨｚから８０１．２５ＭＨｚ）の間であり、その周波数可変端子２ａに供給される同調電圧を利用して同調周波数を変化させるものである。
【０００４】
３は単同調フィルタ２の出力が接続された高周波増幅器であり、このＵＨＦ放送帯域の信号を増幅させるものである。４は高周波増幅器３の出力が接続された複同調フィルタである。この複同調フィルタ４は２つの可変容量ダイオードから構成され、周波数可変端子４ａに供給される同調電圧を利用して同調周波数を変化させるものである。
【０００５】
５は混合器であり、複同調フィルタ４の出力信号がその一方に入力されるとともに、局部発振器６の出力信号が分周器７を介してその他方に入力される。この混合器５は、複同調フィルタ４を通過したＵＨＦ放送帯域の信号と、局部発振器６の発振信号とを混合し、中間周波信号４５．７５ＭＨｚへ変換するものである。８は、混合器５の出力が接続された中間周波フィルタであり、占有帯域６ＭＨｚで不要信号を減衰させるものである。９は中間周波フィルタ８の出力信号が、中間周波増幅器を介して供給される出力端子である。
【０００６】
そしてこれらの単同調フィルタ２、高周波増幅器３、複同調フィルタ４、混合器５及び中間周波フィルタ８で、ＵＨＦ信号受信部１０を構成している。
【０００７】
次に１１は、入力端子１の信号が供給されるＶＨＦ信号受信部である。そしてこのＶＨＦ信号受信部１１は５５．２５ＭＨｚから３６１．２５ＭＨｚまでのＶＨＦ放送帯域の信号を受信するものであり、単同調フィルタ１２と高周波増幅器１３と複同調フィルタ１４と混合器１５とで構成されている。
【０００８】
まず、１２は１つの可変容量ダイオードから構成された単同調フィルタであり、周波数可変端子１２ａに供給される同調電圧を利用して同調周波数を変化させるものである。１３は単同調フィルタ１２の出力が接続された高周波増幅器であり、ＶＨＦ放送帯域の信号を増幅するものである。
【０００９】
１４は高周波増幅器１３の出力が接続された複同調フィルタである。この複同調フィルタ１４は２つの可変容量ダイオードから構成され、周波数可変端子１４ａに供給される同調電圧を利用して同調周波数を変化させるものである。１５は混合器であり、複同調フィルタ１４の出力信号がその一方に入力されるとともに、局部発振器６の出力信号が分周器１６を介してその他方に入力される。この混合器１５は複同調フィルタ１４を通過したＶＨＦ放送帯域の信号と、局部発振器６の発振信号とを混合し、中間周波信号４５．７５ＭＨｚへ変換するものである。そして、この混合器１５の出力は、中間周波フィルタ８の入力に接続される。
【００１０】
次に、１７は発振部であり、この発振部１７の入力１７ａ及び１７ｂには同調部１８が接続されている。この同調部１８は、可変容量ダイオード１９とキャパシタ２０の直列接続体２１と、この直列接続体２１と並列に接続したインダクタ２２により構成されている。
【００１１】
２３はＰＬＬ回路であり、このＰＬＬ回路の入力には、発振部１７の出力が接続されている。そしてこのＰＬＬ回路２３の出力端子２３ａから出力される同調電圧が、同調部１８の可変容量ダイオード１９ならびに単同調フィルタ２、複同調フィルタ４、単同調フィルタ１２、及び複同調フィルタ１４の可変容量ダイオードに供給され、局部発振器６に発振周波数と、単同調フィルタ２、複同調フィルタ４、単同調フィルタ１２、及び複同調フィルタ１４の同調周波数とを制御していた。
【００１２】
このような構成において、混合器５と混合器１５からの出力信号はともに４５．７５ＭＨｚの中間周波数信号でなければならない。そのために、単同調フィルタ２、１２と複同調フィルタ４、１４が通過させる周波数は、分周器７、１６から出力される出力信号よりも常に中間周波数（４５．７５ＭＨｚ）だけ離れた周波数とすることが必要である。
【００１３】
なお、この出願の発明に関連する先行技術文献情報としては、例えば、特許文献１、特許文献２及び特許文献３が知られている。
【特許文献１】特開２０００−２９５５３９号公報
【特許文献２】特開２００２−１１８７９５号公報
【特許文献３】特開平１−２６５６８８号公報
【発明の開示】
【発明が解決しようとする課題】
【００１４】
しかしながらこのような従来の高周波受信装置においては、ひとつの局部発振器６によってＶＨＦロウバンド帯の放送からＵＨＦバンド帯の放送までの広い周波数帯域を受信するものである。従って、同調フィルタ２、４、１２、１４の通過周波数と、分周器からの出力信号の周波数とが連動して中間周波数だけ異なるように設定することが困難であった。これにより、同調フィルタの通過周波数が受信チャンネル周波数からずれ、受信チャンネル信号が減衰し、妨害信号に対する減衰量が、小さくなる。その結果、イメージ発生の原因となる妨害信号が、混合器５、１５へ供給されるので、イメージ妨害が発生するという課題があった。
【００１５】
そこで、本発明はこのようなイメージ妨害を低減した高周波受信装置を提供することを目的としたものである。
【課題を解決するための手段】
【００１６】
この目的を達成するために本発明では、ＶＨＦ放送の周波数帯域やＵＨＦ放送の周波数帯域の信号を受信する高周波受信装置において、少なくともＶＨＦ信号受信部は、ＶＨＦ用同調フィルタと、このＶＨＦ用同調フィルタの出力がその一方の入力が接続されるとともに、他方の入力には局部発振器の発振周波数を分周した信号が供給される第２の混合器と、この第２の混合器の出力が供給される出力端子と、前記局部発振器にループ接続されるとともにその出力が前記ＶＨＦ用同調フィルタへ接続されたＰＬＬ回路とから成る高周波受信装置において、前記ＰＬＬ回路から出力される同調電圧によって、前記局部発振器の発振周波数と少なくとも前記ＶＨＦ用同調フィルタの通過周波数を制御し、前記第２の混合器は、前記ＶＨＦ用同調フィルタの出力が共に接続される第３の混合器と第４の混合器とからなり、前記第３の混合器の出力が接続される９０度移相器と、この９０度移相器の出力が一方の入力に接続されるとともに他方の入力には前記第４の混合器の出力が接続され、その出力が前記出力端子に接続された合成器と、前記局部発振器の出力が接続され、その一方の出力が前記第３の混合器の他方の入力に接続されるとともに他方の出力が前記第４の混合器の他方の入力に接続される分周器とを有し、前記分周器は、前記局部発振信号を分周するとともに、前記第３の混合器と前記第４の混合器に互いに９０度位相の異なる信号を供給するものである。
【００１７】
これにより、イメージ妨害が発生し易いＶＨＦ放送の周波数帯域に対してイメージ・リジェクション・ミキサの構成をとることとなるので、たとえ同調フィルタの通過周波数が受信チャンネルの周波数と合致せずとも、イメージ妨害を低減することができる。
【００１８】
また、イメージ・リジェクション・ミキサはＶＨＦ信号受信部のみに用いられているので、回路構成を簡素化することができ、低価格かつ小型の高周波受信装置を実現することができる。
【００１９】
さらに、イメージ・リジェクション・ミキサによってイメージ妨害の発生を少なくすることができるので、同調フィルタにおけるイメージ妨害を発生する原因の信号に対する減衰量を緩和させることができる。
【００２０】
本発明の請求項１に記載の発明は、ＵＨＦ放送信号と、ＶＨＦ放送信号を含む高周波信号が入力される入力端子と、この入力端子に接続されるＵＨＦ用同調フィルタと、このＵＨＦ用同調フィルタの出力がその一方の入力に供給されるとともに、前記ＵＨＦ放送信号を中間周波数信号へ変換し、出力端子に供給する第１の混合器とからなるＵＨＦ信号受信部と、前記入力端子に接続されるＶＨＦ用同調フィルタと、このＶＨＦ用同調フィルタの出力がその一方の入力が接続されるとともに、前記ＶＨＦ放送信号を前記中間周波数信号へ変換し、前記出力端子へ供給する第２の混合器とからなるＶＨＦ信号受信部と、前記第１の混合器及び前記第２の混合器のそれぞれの他方の入力に局部発振信号を供給する１つの局部発振器と、この局部発振器にループ接続されるとともにその出力が前記ＶＨＦ用及びＵＨＦ用同調フィルタへ接続されたＰＬＬ回路とから成る高周波受信装置において、前記ＰＬＬ回路から出力される同調電圧によって、前記局部発振器の発振周波数と少なくとも前記ＶＨＦ用同調フィルタの通過周波数を制御し、前記第２の混合器は前記ＶＨＦ用同調フィルタの出力が接続される第３の混合器と、この第３の混合器の出力が接続される９０度移相器と、前記ＶＨＦ用同調フィルタの出力が接続される第４の混合器と、前記第３の混合器と前記出力端子との間に挿入されて、その一方の入力には前記９０度移相器の出力が接続されるとともに他方の入力には前記第４の混合器の出力が接続される合成器と、前記局部発振器の出力が接続され、その一方の出力が前記第３の混合器に接続されるとともに他方の出力が前記第４の混合器に接続される分周器とを有し、前記分周器は前記局部発振信号を分周するとともに、前記第３の混合器と前記第４の混合器に互いに９０度位相の異なる信号を供給する高周波受信装置である。
【００２１】
これにより、イメージ妨害が発生し易いＶＨＦ放送の周波数帯域に対してイメージ・リジェクション・ミキサの構成をとることとなるので、たとえ同調フィルタの通過周波数が受信チャンネル周波数と合致せずとも、イメージ妨害を低減することができる。
【００２２】
また、イメージ・リジェクション・ミキサはＶＨＦ信号受信部のみに用いられているので、回路構成を簡素化することができ、また分周器のみで移相器を構成しているので、回路構成を小規模にすることができるので、低価格かつ小型の高周波受信装置を実現することができる。
【００２３】
さらに、イメージ・リジェクション・ミキサによってイメージ妨害を低減することができるので、同調フィルタにおけるイメージ妨害を発生する原因の信号に対する減衰量を緩和させることができる。
【００２４】
請求項２に記載の発明における局部発振器は、発振部と、この発振部の入力に接続された発振用可変容量ダイオードと第１のキャパシタとの直列接続体と、この直列接続体に並列接続されたインダクタとを含む同調部とから成り、ＰＬＬ回路は、同調電圧を前記発振用可変容量ダイオードのカソード側に供給するとともに、ＵＨＦ用同調フィルタとＶＨＦ用同調フィルタに設けられた夫々の可変容量ダイオードのカソード側にも供給する高周波受信装置において、前記高周波受信装置は、前記同調部と前記発振部との間に発振周波数変化手段が挿入され、この発振周波数変化手段は、ＶＨＦ放送信号受信時とＵＨＦ放送信号受信時では、前記ＰＬＬ回路から供給される同調電圧に対する前記局部発振器の発振周波数特性を微小変化させて、前記ＵＨＦ放送信号を受信する場合には、前記ＵＨＦ用同調フィルタの周波数特性に連動するとともに、ＶＨＦ放送信号を受信する場合には、前記ＶＨＦ用同調フィルタの周波数特性に連動して、予め定められた周波数だけ異なる発振信号を得る請求項１に記載の高周波受信装置である。
【００２５】
これにより、発振周波数変化手段は、ＶＨＦ放送信号受信時とＵＨＦ放送信号受信時では、前記ＰＬＬ回路から供給される同調電圧に対する前記局部発振器の発振周波数特性を微小変化させるので、局部発振器の発振周波数とＶＨＦ放送用同調フィルタの周波数特性とを連動して変化させることができる。従って、たとえＵＨＦ放送帯域とＶＨＦ放送帯域との間のチャンネルが連続していたとしても受信することができ、広帯域なチャンネルを受信できる高周波受信装置を実現することができる。
【００２６】
請求項３に記載の発明は、発振周波数変化手段は、発振用可変容量ダイオードと並列に接続された第２のキャパシタと、この第２のキャパシタと第１のキャパシタの夫々に接続されるとともに、受信する周波数帯域に応じて前記第１のキャパシタの値と前記第２のキャパシタの値を変化させる容量変化手段から成る請求項２に記載の高周波受信装置である。
【００２７】
これにより、容量変化手段によってキャパシタの容量を変化させて、同調部の同調周波数を変化させることができる。従って、夫々の放送帯域に合った発振周波数特性を得ることができるので、たとえＵＨＦ放送帯域とＶＨＦ放送帯域との間のチャンネルが連続していたとしても受信することができ、広帯域なチャンネルを受信できる高周波受信装置を実現することができる。
【００２８】
また、容量変化手段によって、発振用可変容量ダイオードと直列に設けられた第１のキャパシタを変化させるので、第１のキャパシタの値を適宜変化してやることによって同調電圧の変化幅に対する容量変化の幅を制御することができる。
【００２９】
さらに、容量変化手段によって、発振用可変容量ダイオードと並列に接続された第２のキャパシタの容量値を変化させるので、局部発振器の高い発振周波数での発振特性を制御することができる。
【００３０】
請求項４に記載の発明における第１のキャパシタは、第３のキャパシタと、この第３のキャパシタに並列に接続された第４のキャパシタとから成り、容量変化手段は、前記第４のキャパシタと発振部との間に接続されるとともに、受信する周波数帯域に応じて前記第４のキャパシタの値を選択的に切り替える選択手段とした請求項３に記載の高周波受信装置である。
【００３１】
これにより、受信する放送帯域に応じて切り替え手段を切り替えることによってキャパシタの値が変化するので、同調部の同調周波数が変化し、夫々の受信帯域に適合した周波数特性とすることができる。従って、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。
【００３２】
また、第１のキャパシタが複数のキャパシタによって構成されるので、さらに受信可能な周波数帯域を広くすることができる。
【００３３】
請求項５に記載の発明は、第４のキャパシタは、複数のキャパシタにより構成され、容量変化手段は、前記複数のキャパシタの少なくともひとつに接続されて、受信する周波数帯域に応じて前記第３のキャパシタの値を選択的に切り替える請求項４に記載の高周波受信装置である。
【００３４】
これにより、第４のキャパシタが複数のキャパシタによって構成されるとともに、受信帯域に応じてそれら選択的に切り替えることにより、受信する放送帯域に応じて同調部を構成する容量値が切り替えることとなり、同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦロウバンド、ＶＨＦハイバンドまでの広帯域なチャンネルが連続していても受信することができる高周波受信装置を実現することができる。
【００３５】
請求項６に記載の発明は、第２のキャパシタは、複数のキャパシタより構成され、容量変化手段は、前記複数のキャパシタの少なくともひとつのキャパシタに接続されて、受信する周波数帯域に応じて前記第２のキャパシタの値を切り替える請求項３に記載の高周波受信装置であり、これにより、第２のキャパシタが複数のキャパシタによって構成されるとともに、受信帯域に応じてそれらを選択的に切り替えるので、受信する放送帯域に応じて同調部を構成する容量値が切り替わることによって同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦロウバンド、ＶＨＦハイバンドまでの広帯域なチャンネルが連続していても受信することができる高周波受信装置を実現することができる。
【００３６】
請求項７に記載の発明は、可変容量ダイオードと、発振用可変容量ダイオードとは、略等しい容量変化特性とした請求項２に記載の高周波受信装置であり、これにより同調フィルタの周波数特性と同調部の発振周波数の周波数特性とを近似させることができるので、同調フィルタの周波数特性と局部発振器の周波数特性とを連動させることができる。従って、幅広い周波数帯域を受信することが出来、例え第１の周波数帯域と第２の周波数帯域とが連動していたとしても受信することができる高周波受信装置を実現することができる。
【００３７】
また、略同じ容量変化比の可変容量ダイオードを用いているので、同調フィルタに用いる可変容量ダイオードと発振用可変容量ダイオードとを同じ品番のものを用いればよいのでその管理が容易となる。さらに、高周波受信装置に使われる可変容量ダイオードを統一できるので、実装誤りも低下する。
【００３８】
さらに、局部発振器の発振周波数特性と同調フィルタの周波数特性とを近似させることができる。従って、同調フィルタでの妨害信号に対する抑圧量を大きくできる。
【００３９】
請求項８に記載の発明は、第１の可変容量ダイオードと、第２の可変容量ダイオードと、発振用可変容量ダイオードとの容量変化比の値は、受信する周波数帯域の内でその帯域幅が最も大きな周波数帯域に対し必要な容量変化比の値と略等しくした請求項７に記載の高周波受信装置であり、これにより容量変化範囲は大きくできるので、幅広い周波数帯域の信号を受信することができる。
【００４０】
請求項９に記載の発明は、ＶＨＦハイバンド受信時には分周器の分周比を１／２とするとともに、局部発振器の発振周波数は、約３６０ＭＨｚから約９００ＭＨｚの範囲とした請求項８に記載の高周波受信装置であり、これによりＶＨＦハイバンドの周波数帯域を全て受信することができる。
【００４１】
請求項１０に記載の発明は、ＶＨＦ放送信号は、ＶＨＦロウバンドの周波数帯域内の放送信号とし、前記ＶＨＦ放送信号受信時に、分周器の分周比を１／４とするとともに、局部発振器の発振周波数は、約３６０ＭＨｚから約９００ＭＨｚの範囲とした請求項１に記載の高周波受信装置であり、これによりＮＴＳＣ方式におけるＶＨＦロウバンド放送のチャンネル全てを受信することができる。
【００４２】
請求項１１に記載の発明は、ＶＨＦ放送信号は、ＶＨＦロウバンドの周波数帯域内の放送信号とし、前記ＶＨＦ放送信号受信時に、分周器の分周比を１／５とするとともに、局部発振器の発振周波数は、約３６０ＭＨｚから約９００ＭＨｚの範囲とした請求項１に記載の高周波受信装置であり、これによりＰＡＬ方式におけるＶＨＦロウバンドの放送チャンネル全てを受信することができる。
【００４３】
請求項１２に記載の発明は、ＶＨＦ放送信号を受信する場合には、分周器から出力される分周信号をＰＬＬ回路へ供給する請求項１に記載の高周波受信装置であり、そのため、ＰＬＬに入力する選局データは、広く普及している各放送帯域毎に局部発振回路を備えた高周波受信装置と同様の選局データをそのまま活用することができる。
【００４４】
請求項１３に記載の発明は、ＵＨＦ放送信号と、ＶＨＦ放送信号を含む高周波信号が入力される入力端子と、この入力端子に接続されるＵＨＦ用同調フィルタと、このＵＨＦ用同調フィルタの出力がその一方の入力に供給されるとともに他方の入力には局部発振器の出力が供給されるミキサ回路と、このミキサ回路の出力が供給される出力端子と、前記入力端子に接続されるＶＨＦ用同調フィルタと、このＶＨＦ用同調フィルタと前記出力端子との間に挿入されるとともに３個以上の混合器で構成されたＨＲＭ（ハーモニック・リジェクション・ミキサ）と、前記局部発振器にループ接続されるとともにその出力が前記ＶＨＦ用及びＵＨＦ用同調フィルタへ接続されたＰＬＬ回路とから成る高周波受信装置であって、前記ＰＬＬ回路から出力される同調電圧によって、前記局部発振器の発振周波数と少なくとも前記ＶＨＦ用同調フィルタの通過周波数を制御し、前記ＨＲＭはその一方の入力には前記ＶＨＦ用同調フィルタの出力が供給されるとともに、他方の入力には前記局部発振器の出力が接続され、前記ＨＲＭとの夫々の混合器と前記局部発振器との間に設けられた移相器は、予め定められた量だけ互いに位相が異なる信号を前記それぞれの混合器へ供給するとともに、前記局部発振器の周波数を分周する高周波受信装置であり、これによりＶＨＦ放送受信時にはＨＲＭ構成となるので、高調波による妨害が発生し難くなる。
【００４５】
請求項１４に記載の発明は、ＨＲＭの混合器の数は３以上とするとともに移相器での分周比は１／３以下とした請求項１３に記載の高周波受信装置であり、これにより高調波による妨害が発生し難くなる。
【００４６】
請求項１５に記載の発明は、ＵＨＦ放送信号と、ＶＨＦ放送信号を含む高周波信号が入力される入力端子と、この入力端子に接続されるＵＨＦ用同調フィルタと、このＵＨＦ用同調フィルタと並列に接続されたＶＨＦ用同調フィルタと、このＶＨＦ用同調フィルタの出力と前記ＵＨＦ用同調フィルタの出力とが供給されて中間周波数信号へ変換する第１の混合器と、この第１の混合器の出力が供給される出力端子と、前記第１の混合器へ局部発振信号を供給する局部発振器と、前記局部発振器にループ接続されるとともにその出力が前記ＶＨＦ用及びＵＨＦ用同調フィルタへ接続されたＰＬＬ回路とから成り、前記ＰＬＬ回路から出力される同調電圧によって、前記局部発振器の発振周波数と少なくとも前記ＶＨＦ用同調フィルタの通過周波数を制御する高周波受信であって、前記局部発振器の発振周波数と少なくとも前記ＶＨＦ用同調フィルタの通過周波数を制御し、前記ＵＨＦ用同調フィルタとＶＨＦ用同調フィルタとの出力が供給される第２の混合器と、この第２の混合器の出力が接続される移相器と、前記第１の混合器と前記出力端子との間に挿入されて、前記第１の混合器の出力がその一方の入力に接続されるとともに他方の入力には前記移相器の出力が接続される合成器と、前記局部発振器の出力に接続されるとともにその一方の出力が前記第１の混合器に接続される切り替え手段と、この切り替え手段の他方の出力に接続されて、前記局部発振信号を分周した信号を前記第１の混合器と前記第２の混合器とに互いに９０度位相の異なる信号を供給する分周器とを有し、前記切り替え手段は、前記ＵＨＦ放送信号を受信する場合には前記第１の混合器側へ接続するとともに、ＶＨＦ放送信号を受信する場合には前記分周器側へ接続する高周波受信装置である。
【００４７】
これにより、回路を簡素化することができるので、小型な高周波受信装置を実現することができる。
【００４８】
請求項１６に記載の発明は、第１の周波数帯域の信号と、この第１の周波数帯域よりも低い第２の周波数帯域の信号とを含む高周波信号が入力される入力端子と、この入力端子に接続される同調フィルタと、このフィルタの出力がその一方の入力に供給されるとともに、前記第１の周波数帯域の信号を中間周波数信号へ変換し、出力端子に供給する第１の混合器とからなる第１の受信部と、前記同調フィルタの出力がその一方の入力が接続されるとともに、前記第２の周波数帯域の信号を前記中間周波数信号へ変換し、前記出力端子へ供給する第２の混合器とからなる第２の受信部と、前記第１の混合器及び前記第２の混合器それぞれの他方の入力に局部発振信号を供給する１つの局部発振器と、前記局部発振器にループ接続されるとともにその出力が前記同調フィルタへ接続されたＰＬＬ回路とから成る高周波受信装置において、前記高周波受信装置は、前記ＰＬＬ回路から出力される同調電圧によって、前記局部発振器の発振周波数と同調フィルタの通過周波数を制御し、前記第１の混合器は前記同調フィルタの出力が接続される第３の混合器と、この第３の混合器の出力が接続される９０度移相器と、前記同調フィルタの出力が接続される第４の混合器と、前記第４の混合器の出力と前記出力端子との間に挿入され、その一方の入力が前記９０度移相器の出力に接続されるとともに他方の入力には前記第４の混合器の出力が接続される合成器とからなり、前記第２の混合器は前記同調フィルタの出力が接続される第５の混合器と、この第５の混合器の出力が接続される９０度移相器と、前記同調フィルタの出力が接続される第６の混合器と、前記第５の混合器の出力と前記出力端子との間に挿入され、その一方の入力が前記９０度移相器の出力に接続されるとともに他方の入力には前記第６の混合器の出力が接続される合成器と、前記高周波受信装置は、前記局部発振器の発振周波数信号を少なくとも１／２以下の周波数へ分周するとともに、前記第１の混合器と前記第２の混合器に互いに９０度位相の異なる信号を供給する分周器と、この分周器に接続された切り替え手段とからなり、前記切り替え手段は、受信する周波数帯域に応じて前記分周器での分周比を切り替えるとともに、前記第３の混合器と前記第４の混合器あるいは第５と第６の混合器のいずれか一方に互いに９０度位相の異なる信号を供給する高周波受信装置である。
【００４９】
これにより、イメージ・リジェクション・ミキサの構成をとることとなるので、たとえ同調フィルタの通過周波数が受信チャンネル周波数と合致せずとも、イメージ妨害を低減することができる。
【００５０】
さらに、イメージ・リジェクション・ミキサによってイメージ妨害を低減することができるので、同調フィルタにおけるイメージ妨害を発生する原因の信号に対する減衰量を緩和させることができる。
【００５１】
請求項１７に記載の発明は、第１の周波数帯域はＵＨＦ放送の周波数帯域とするとともに、第２の周波数帯域はＶＨＦ放送の周波数帯域とし、前記ＵＨＦ放送信号受信時には分周比を１／２とするとともに、局部発振器の発振周波数は、約７２０ＭＨｚから約１８００ＭＨｚの範囲とした請求項１６に記載の高周波受信装置であり、これにより、イメージ・リジェクション・ミキサの構成をとることとなるので、たとえ同調フィルタの通過周波数が受信チャンネル周波数と合致せずとも、イメージ妨害を低減することができる。
【００５２】
さらに、イメージ・リジェクション・ミキサによってイメージ妨害を低減することができるので、同調フィルタにおけるイメージ妨害を発生する原因の信号に対する減衰量を緩和させることができる。
【００５３】
請求項１８に記載の発明は、第１の周波数帯域としてＶＨＦハイバンドを用いるとともに、第２の周波数帯域としてＶＨＦロウバンドを用い、これらの周波数帯域を受信する場合における局部発振器の発振周波数は、約３６０ＭＨｚから約９００ＭＨｚの範囲とし、切り替え手段は、前記ＶＨＦハイバンド受信時に前記分周器の分周比を１／２とするとともに、前記ＶＨＦロウバンド受信時に前記分周器の分周比を１／４とする請求項１６に記載の高周波受信装置であり、これにより、ＶＨＦ周波数帯域を全て受信することができる。
【００５４】
請求項１９に記載の発明は、分周器は、局部発振器の出力周波数を１／２に分周する第１の固定分周器と、この第１の固定分周器に直列に接続された第２の固定分周器とから構成され、切り替え手段はその入力が前記第１の固定分周器に接続され、その一方の出力が前記第２の固定分周器に接続されるとともに、他方の出力が前記第１の局部発振器へ接続された請求項１６に記載の高周波受信装置であり、これにより回路を簡素化することができるので、小型な高周波受信装置を実現することができる。
【００５５】
請求項２０に記載の発明は、第１の周波数帯域の信号と、この第１の周波数帯域より低い第２の周波数帯域の信号とを含む高周波信号が入力される入力端子と、この入力端子に接続される第１の同調フィルタと、この第１の同調フィルタと並列に接続された第２の同調フィルタと、この第２の同調フィルタの出力と前記第１の同調フィルタの出力とがその一方の入力に供給されるとともに、他方の入力には局部発振器の出力が供給される第１の混合器と、この混合器の出力がその一方の入力に供給される合成器と、この合成器の出力が供給される出力端子と、前記第２の同調フィルタの出力と前記第１の同調フィルタの出力が一方の入力に供給されるとともに、他方の入力には前記局部発振器の出力が供給される第２の混合器と、この第２の混合器の出力と前記合成器の他方の入力の間に挿入される移相器と、前記局部発振器にループ接続されるとともにその出力が前記第１の同調フィルタと前記第２の同調フィルタに接続されたＰＬＬ回路とを有し、前記ＰＬＬ回路は、その出力信号によって前記局部発振器の発振周波数と前記第１の同調フィルタと前記第２の同調フィルタとの通過周波数を制御する高周波受信装置において、前記高周波受信装置は、前記局部発振器の発振周波数信号を少なくとも１／２以下の周波数へ分周するとともに、前記第１の混合器と前記第２の混合器に互いに９０度位相の異なる信号を供給する分周器と、この分周器に接続された切り替え手段とを有し、前記切り替え手段は受信する周波数帯域に応じて前記分周器の分周比を切り替える高周波受信装置であり、これにより回路を簡素化することができるので、小型な高周波受信装置を実現することができる。
【００５６】
請求項２１に記載の発明は、第１の周波数帯域の信号と、この第１の周波数帯域よりも低い第２の周波数帯域の信号とを含む高周波信号が入力される入力端子と、この入力端子に接続される同調フィルタと、このフィルタの出力が供給されるとともに２個の混合器で構成されたＩＲＭ（イメージ・リジェクション・ミキサ）と、このＩＲＭの出力が供給された出力端子と、前記同調フィルタの出力に接続されるとともに、３個以上の混合器によって構成されたＨＲＭ（ハーモニック・リジェクション・ミキサ）と、前記ＩＲＭ及び前記ＨＲＭに局部発振信号を供給する１つの局部発振器と、この局部発振器にループ接続されるとともにその出力が前記ＶＨＦ用同調フィルタへ接続されたＰＬＬ回路とから成る高周波受信装置において、前記ＰＬＬ回路から出力される同調電圧によって、前記局部発振器の発振周波数と少なくとも前記同調フィルタの通過周波数を制御し、前記ＩＲＭと前記ＨＲＭとの夫々の混合器と前記局部発振器との間に設けられた移相器は予め定められた量互いに位相の異なる信号を前記それぞれの混合器へ供給するとともに、前記局部発振器の周波数を分周する高周波受信装置であり、これにより、高調波による妨害を受けやすい低い周波数帯域を受信する時にＨＲＭ構成をとるため、高調波による妨害を低減することができる。
【００５７】
請求項２２に記載の発明は、第２の周波数帯域はＶＨＦロウバンドとした請求項２１に記載の高周波受信装置であり、高調波による妨害を受けやすいＶＨＦロウバンド帯域を受信する時にＨＲＭ構成をとるため、高調波による妨害を低減することができる。
【００５８】
請求項２３に記載の発明は、ＨＲＭの混合器の数は３以上とするとともに移相器での分周比は１／３以下とした請求項２２に記載の高周波受信装置であり、これにより、高調波による妨害を低減することができる。
【００５９】
請求項２４に記載の発明は、請求項１に記載の高周波受信装置を形成する第１の混合器と第２の混合器とＰＬＬ回路と局部発振器とが集積化されたことを特徴とする集積回路であり、これにより、高周波受信装置の小型化を図ることができる。
【００６０】
請求項２５に記載の発明は、請求項１に記載の高周波受信装置を形成する第１の混合器と第２の混合器とＰＬＬ回路と発振部と分周器と発振周波数変化手段とが集積化されたことを特徴とする集積回路であり、これにより、第１の周波数帯域と第２の周波数帯域とが連続した広い周波数帯域であったとしても、受信することができる。さらにこの放送帯域が、ＶＨＦ放送帯域とＵＨＦ放送帯域の放送帯域であったとしても、それらの帯域内の全放送チャンネルを受信することができる。また、高周波受信装置の小型化を図ることができる。
【００６１】
請求項２６に記載の発明は、請求項３に記載の高周波受信装置を形成する第１の混合器と第２の混合器とＰＬＬ回路と発振部と容量変化手段とが集積化されたことを特徴とする集積回路であり、これにより容量変化手段によってキャパシタの容量を変化させて、同調部の同調周波数を変化させることができる。従って、夫々の放送帯域に合った発振周波数特性を得ることができるので、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。
【００６２】
また、容量変化手段によって、発振用可変容量ダイオードと直列に設けられた第１のキャパシタを変化させるので、第１のキャパシタの値を適宜変化させることによって同調電圧の変化幅に対する容量変化の幅を制御することができる。
【００６３】
さらに、容量変化手段によって、発振用可変容量ダイオードと並列に接続された第２のキャパシタの容量値を変化させるので、局部発振器の高い発振周波数での発振特性を制御することができる。さらになお、高周波受信装置の小型化を図ることができる。また、キャパシタより構成されているので低価格で実現することができる。
【００６４】
請求項２７に記載の発明は、請求項４に記載の高周波受信装置を形成する第１の混合器と第２の混合器とＰＬＬ回路と発振部と選択手段とが集積化されたことを特徴とする集積回路であり、これにより受信する放送帯域に応じて切り替え手段を切り替えることによってキャパシタの値が変化するので、同調部の同調周波数が変化し、夫々の受信帯域に適合した周波数特性とすることができる。
【００６５】
従って、たとえ第１の受信帯域と第２の受信帯域との間のチャンネルが連続していたとしても受信することができ、特にＴＶ放送においては、連続するＶＨＦ放送帯域とＵＨＦ放送帯域の広帯域なチャンネルを受信できる高周波受信装置を実現することができる。また、第１のキャパシタが複数のキャパシタによって構成されるので、さらに受信可能な周波数帯域を広くすることができる。さらに、高周波受信装置の小型化を図ることができる。
【００６６】
請求項２８に記載の発明は、請求項５に記載の高周波受信装置を形成する第１の混合器と第２の混合器とＰＬＬ回路と発振部と選択手段とが集積化されたことを特徴とする集積回路であり、これにより第４のキャパシタが複数のキャパシタによって構成されるとともに、受信帯域に応じてそれらを選択的に切り替えることにより、受信する放送帯域に応じて同調部を構成する容量値が切り替わることとなり、同調周波数が変化し、夫々の受信帯域に適合した周波数特性とすることができる。従って、受信帯域の周波数がさらに広くても受信することができ、特にＴＶ放送などに対しては、ＵＨＦ放送帯域、ＶＨＦロウバンド、ＶＨＦハイバンドまでの広帯域なチャンネルが連続していても受信することができる高周波受信装置を実現することができる。さらに、高周波受信装置の小型化を図ることができる。
【００６７】
請求項２９に記載の発明は、請求項４と請求項６に記載の高周波受信装置を形成する第１の混合器と第２の混合器とＰＬＬ回路と発振部と選択手段とが、少なくとも集積化された集積回路において、前記集積回路における前記発振部と同調部を接続する接続端子の配置は、発振用可変容量ダイオードと第１のキャパシタとの直列接続体と、この直列接続体と並列に接続されたインダクタの両端が接続される接続端子の間に第２及び第４のキャパシタを接続する接続端子を配置した集積回路であり、これにより、同調部を構成している可変容量ダイオード、キャパシタ、インダクタの部品と、集積化されている発振部との接続が最短に配線することができ、不要な容量成分やインダクタ成分を低減して高品質設計ができる。また、最短に配線することができるため、この集積回路を用いた高周波受信装置の小型化が可能である。
【００６８】
請求項３０に記載の発明は、請求項１３に記載の高周波受信装置を形成するＩＲＭとＨＲＭとＰＬＬ回路と局部発振器とが、少なくとも集積化されたことを特徴とする集積回路であり、これにより、高周波受信装置の小型化を図ることができる。
【００６９】
請求項３１に記載の発明は、請求項１５に記載の高周波受信装置を形成する第１の混合器とＰＬＬ回路と局部発振器と第２の混合器と移相器と分周器と切り替え手段とが、少なくとも集積化されたことを特徴とする集積回路であり、これにより、高周波受信装置の小型化を図ることができる。
【００７０】
請求項３２に記載の発明は、請求項１６に記載の高周波受信装置を形成する第１の混合器と第２の混合器とＰＬＬ回路と局部発振器とが、少なくとも集積化されたことを特徴とする集積回路であり、これにより、高周波受信装置の小型化を図ることができる。
【００７１】
請求項３３に記載の発明における請求項２０に記載の高周波受信装置を形成する第１の混合器と第２の混合器と移相器とＰＬＬ回路と局部発振器と分周器とが、少なくとも集積化されたことを特徴とする集積回路であり、小型な高周波受信装置を実現することができる。
【００７２】
請求項３４に記載の発明における請求項２１に記載の高周波受信装置を形成するＩＲＭとＨＲＭとＰＬＬ回路と局部発振器とが、少なくとも集積化されたことを特徴とする集積回路であり、小型な高周波受信装置を実現することができる。
【発明の効果】
【００７３】
以上のように本発明によれば、ＶＨＦ放送の周波数帯域やＵＨＦ放送の周波数帯域の信号を受信する高周波受信装置において、少なくともＶＨＦ信号受信部は、ＶＨＦ用同調フィルタと、このＶＨＦ用同調フィルタの出力がその一方の入力が接続されるとともに、他方の入力には局部発振器の発振周波数を分周した信号が供給される第２の混合器と、この第２の混合器の出力が供給される出力端子より構成され、前記第２の混合器は前記ＶＨＦ用同調フィルタの出力が接続される第３の混合器と、この第３の混合器の出力が接続される９０度移相器と、この９０度移相器と前記出力端子の間に挿入され、前記９０度移相器の出力がその一方の入力に供給される合成器と、この合成器の他方の入力と前記ＶＨＦ用同調フィルタの出力との間に挿入された第４の混合器と、前記局部発振器の出力が接続された分周器とを有し、前記分周器は、その一方の出力が前記第３の混合器に接続されるとともに、他方の出力が前記第４の混合器に接続され、前記局部発振信号を分周するとともに、前記第３の混合器と前記第４の混合器に互いに９０度位相の異なる信号を供給するものである。
【００７４】
これにより、イメージ妨害が発生し易いＶＨＦ放送の周波数帯域に対してイメージ・リジェクション・ミキサの構成をとることとなるので、たとえ同調フィルタの通過周波数が受信チャンネル周波数と合致せずとも、イメージ妨害を低減することができる。
【００７５】
また、イメージ・リジェクション・ミキサはＶＨＦ信号受信部のみに用いられているので、回路構成を簡素化することができ、低価格かつ小型の高周波受信装置を実現することができる。
【００７６】
さらに、イメージ・リジェクション・ミキサによってイメージ妨害を低減することができるので、同調フィルタにおけるイメージ妨害を発生する原因の信号に対する減衰量を緩和させることができる。
【発明を実施するための最良の形態】
【００７７】
（実施の形態１）
以下、本発明の実施の形態１について図面を用いて説明する。図１は実施の形態１における高周波受信装置のブロック図である。
【００７８】
図１において、５１は入力端子である。この入力端子５１には５５．２５ＭＨｚから８０１．２５ＭＨｚまでの高周波信号が入力されるものである。５２は入力端子５１に接続されるとともに、１つの可変容量ダイオードを含む単同調フィルタである。この単同調フィルタ５２の同調周波数はＵＨＦ放送帯域３６７．２５ＭＨｚから８０１．２５ＭＨｚまでの間、周波数可変端子５２ａに供給される同調電圧を利用して同調周波数を変化させるものである。
【００７９】
５３は単同調フィルタ５２の出力が接続された高周波増幅器であり、このＵＨＦ放送帯域の信号を増幅するものである。５４は高周波増幅器の出力が接続された複同調フィルタ（ＵＨＦ同調フィルタの一例として用いた）である。この複同調フィルタ５４は２つの可変容量ダイオードを含み、周波数可変端子５４ａに供給される同調電圧を利用して同調周波数を変化させるものである。
【００８０】
５５は混合器であり、複同調フィルタ５４の出力５４ｂの信号がその一方に入力されるとともに、他方の入力には局部発振器５６の出力信号が入力される。この混合器５５は複同調フィルタ５４を通過したＵＨＦ放送帯域の信号と、局部発振器５６の発振信号とを混合し、４５．７５ＭＨｚの中間周波信号へ変換するものである。７９は、混合器５５の出力が供給される出力端子であり、５８は出力端子７９の信号が供給される中間周波フィルタである。なお、本実施の形態１において、中間周波フィルタ５８は、占有帯域６ＭＨｚで不要信号を減衰させるものである。５９は中間周波フィルタ５８の出力信号が中間周波増幅器を介して供給される出力端子である。
【００８１】
そしてこれらの単同調フィルタ５２、高周波増幅器５３、複同調フィルタ５４、混合器５５及び中間周波フィルタ５８によってＵＨＦ信号受信部６０を構成している。
【００８２】
次に６１は、入力端子５１の信号が供給されるＶＨＦ信号受信部であり、５５．２５ＭＨｚから３６１．２５ＭＨｚまでのＶＨＦ放送帯域の信号を受信するものである。なお、このＶＨＦ信号受信部６１は、単同調フィルタ６２、高周波増幅器６３、複同調フィルタ６４（ＶＨＦ同調フィルタの一例として用いた）及び混合器６５とがこの順に接続されている。
【００８３】
６２は１つの可変容量ダイオードを含む単同調フィルタであり、周波数可変端子６２ａに供給される同調電圧を利用して同調周波数を変化させるものである。６３は単同調フィルタ６２の出力が接続された高周波増幅器であり、ＶＨＦ放送帯域の信号を増幅するものである。
【００８４】
６４は高周波増幅器６３の出力が接続された複同調フィルタである。この複同調フィルタ６４は２つの可変容量ダイオードを含み、周波数可変端子６４ａに供給される同調電圧を利用して同調周波数を変化させるものである。
【００８５】
６５は混合器であり、複同調フィルタ６４の出力６４ｂの信号がその一方に入力されるとともに、局部発振器５６の出力信号が分周器６６を介してその他方に入力されている。ここで、この混合器６５は、複同調フィルタ６４を通過したＶＨＦ放送帯域の信号と局部発振器５６の信号とを混合して、中間周波信号（４５．７５ＭＨｚ）へ変換するものである。そして、この混合器６５の出力は、出力端子７９を介して中間周波フィルタ５８へ供給される。
【００８６】
ここで分周器６６は、ＶＨＦロウバンド放送帯域受信時の分周器６６ａとＶＨＦハイバンド放送帯域受信時の分周器６６ｂとを有している。そして６７は、これら局部発振器５６の出力や分周器６６ａ、６６ｂの出力を選択的に切り替えて、混合器５５、６５への供給を切り替えるスイッチ（切替手段の一例として用いた）である。
【００８７】
次に局部発振器５６は、インダクタ６８と、このインダクタ６８と並列に可変容量ダイオード６９とキャパシタ７０との直列接続体によって構成された同調部と、この直列接続体の両端接続された発振部７１と、同調部と並列に接続されるとともにその出力が発振部７１に接続された発振周波数変化手段とによって構成されている。
【００８８】
そしてこの発振周波数変化手段は、可変容量ダイオード６９と並列に接続されたキャパシタ７２とキャパシタ７３、そしてこれらのキャパシタ７２、７３の夫々に接続された切り替えスイッチ７４ａ、７４ｂ（容量可変手段の一例として用いた）、キャパシタ７０と並列に接続されたキャパシタ７５とキャパシタ７６、そしてこれらのキャパシタ７５、７６の夫々に接続された切り替えスイッチ７７ｂ、７７ａ（容量可変手段の一例として用いた）とから構成されている。
【００８９】
これによって、切り替えスイッチ７４でキャパシタ７２とキャパシタ７３とを切り替えることができ、また、切り替えスイッチ７７によりキャパシタ７５と７６とを切り替えることができる。
【００９０】
従って、本実施の形態１においては、これらの切り替えスイッチ７４、７７を切り替えることによって、発振用可変容量ダイオード６９に直列に挿入される容量値および、発振用可変容量ダイオード６９に並列に挿入される容量値を変化させることができるので、同調部の同調周波数が変化し、局部発振器の発振周波数を微小変化させることができる。
【００９１】
また、インダクタ６８と直列に可変容量ダイオードを接続することにより、広帯域での発振が可能となる。
【００９２】
７８はＰＬＬ回路であり、このＰＬＬ回路７８の入力には、局部発振器５６の発振信号が分周器５７及び６６で分周されて供給される。そしてこのＰＬＬ回路７８は、単同調フィルタ５２、複同調フィルタ５４、単同調フィルタ６２及び複同調フィルタ６４の可変容量ダイオード８２、８４、８６、８９、９６、９８、１０２、１０７（図２、図３）及び発振用可変容量ダイオード６９へ同調電圧を供給する。
【００９３】
図２は、本実施の形態１におけるＵＨＦ信号受信部６０における単同調フィルタ５２及び複同調フィルタ５４の回路図である。以下本実施の形態１における単同調フィルタ５２及び複同調フィルタ５４について図を用いて説明する。
【００９４】
まず単同調フィルタ５２について説明する。図２において、８１はインダクタであり、このインダクタ８１と直列に可変容量ダイオード８２が接続され、この可変容量ダイオード８２のカソード側にインダクタ８３の一方が接続される。このインダクタ８３の他方は可変容量ダイオード８４のカソード側に接続され、そのアノード側は、キャパシタを介してグランドに接地される。なお、５２ａは周波数可変端子であり、抵抗を介して可変容量ダイオード８２と８４のカソード側に接続され、ＰＬＬ回路７８の出力から同調電圧が供給される。
【００９５】
そして、これらインダクタ８１、可変容量ダイオード８２、インダクタ８３及び可変容量ダイオード８４によって単同調フィルタ５２が構成されるものである。この単同調フィルタ５２では、周波数可変端子５２ａに供給される同調電圧に応じて可変容量ダイオード８２及び８４の容量を共に変化させ、同調周波数を変化させることができる。尚、本実施の形態においては、この単同調フィルタ５２ではＵＨＦ帯の信号を通過させるようなフィルタの定数としている。
【００９６】
次に、複同調フィルタ５４について説明する。複同調フィルタ５４は可変容量ダイオード８６と、この可変容量ダイオード８６に並列に接続されたインダクタ８７と、このインダクタ８７と相互誘導結合したインダクタ８８と、このインダクタ８８と並列に接続された可変容量ダイオード８９とから構成されている。なお、５４ａ及び５４ｂは周波数可変端子であり、それぞれ可変容量ダイオード８６と可変容量ダイオード８９のカソード側に接続し、ＰＬＬ回路７８の出力から同調電圧が供給される。
【００９７】
そして、この複同調フィルタ５４では、周波数可変端子５４ａ及び５４ｂに供給される同調電圧に応じて可変容量ダイオード８６及び８９の容量を変化させ、同調周波数を変化させることができる。
【００９８】
図３は、本実施の形態１におけるＶＨＦ信号受信部６１における単同調フィルタ６２及び複同調フィルタ６４の回路図である。以下図３を用いて単同調フィルタ６２及び複同調フィルタ６４について説明する。
【００９９】
図３において、まず単同調フィルタ６２は、インダクタ９１とインダクタ９２とインダクタ９３とインダクタ９４と、そしてスイッチ９５と可変容量ダイオード９６とインダクタ９７と可変容量ダイオード９８とから構成されている。また、インダクタ９１とインダクタ９２とは直列に接続され、この接続点９９とグランドとの間にインダクタ９３とインダクタ９４が直列に接続されている。そしてこのインダクタ９３とインダクタ９４の接続点１００と、インダクタ９２と可変容量ダイオード９６のアノード側との接続点１０１との間にスイッチ９５が挿入されている。一方、可変容量ダイオード９６のカソード側にはインダクタ９７の一方が接続され、このインダクタ９７の他方とグランドとの間には、可変容量ダイオード９８が接続されている。
【０１００】
なお６２ａは、周波数可変端子であり、可変容量ダイオード９８のカソード側に抵抗を介して接続され、ＰＬＬ回路７８の出力から同調電圧が供給される。そして、この単同調フィルタ６２では、周波数可変端子６２ａに供給される同調電圧に応じて可変容量ダイオード９８及び９６の容量が変化し、同調周波数が変化する。尚、本実施の形態においては、この単同調フィルタ６２ではＶＨＦ帯の信号を通過させるようなフィルタの定数としている。
【０１０１】
次に、複同調フィルタ６４は、入力とグランド間に挿入された可変容量ダイオード１０２と、この可変容量ダイオード１０２と並列に接続されたインダクタ１０３と１０４との直列接続体と、このインダクタ１０４と並列にスイッチ１０８とが接続されている。そして、インダクタ１０３と１０４と誘導結合するように、インダクタ１０５と１０６が直列に接続され、このインダクタ１０５と１０６との直列接続体と並列に可変容量ダイオード１０７が接続されている。
【０１０２】
なお、６４ａは周波数可変端子であり、それぞれ抵抗を介して可変容量ダイオード１０２と１０７のカソード側に接続され、ＰＬＬ回路７８から同調電圧が供給される。そして、この複同調フィルタ６４では、周波数可変端子６４ａに供給される同調電圧に応じて可変容量ダイオード１０２及び１０７の容量を変化させ、同調周波数を変化させることができる。
【０１０３】
次に、本実施の形態１における高周波受信装置で、ＵＨＦ放送帯域（第１の周波数帯域の一例として用いた）とそのＵＨＦ放送帯域の下側に連続して配列されているＶＨＦ放送帯域（第２の周波数帯域の一例として用いた）から成るＴＶ放送を受信する場合について説明する。
【０１０４】
ＵＨＦ放送帯域を受信する場合、スイッチ７４ａと７４ｂおよびスイッチ７７ａと７７ｂとをＯＦＦとし、スイッチ６７は分周器５７の出力が接続されるようにスイッチ６７ａがＯＮされる。
【０１０５】
次に、ＶＨＦハイバンド放送帯域を受信する場合、スイッチ７４ａ及びスイッチ７７ａをＯＮとし、スイッチ７４ｂ及びスイッチ７７ｂをＯＦＦとする。また、スイッチ６７は分周器６６ａの出力が接続されるようにスイッチ６７ｂをＯＮとし、スイッチ９５、１０８及び１０９をＯＮとする。
【０１０６】
そして、ＶＨＦロウバンド放送帯域を受信する場合は、スイッチ７４ａ及び７７ａをＯＦＦとし、スイッチ７４ｂ及び７７ｂをＯＮとする。また、スイッチ６７は分周器６６ｂの出力が接続されるように６７ｃをＯＮとし、スイッチ９５、１０８及び１０９をＯＦＦとする。
【０１０７】
なお、高周波増幅器５３、６３はＵＨＦ放送帯域を受信する場合に、高周波増幅器５３をＯＮとし、ＶＨＦ放送帯域を受信する場合に、高周波増幅器６３をＯＮとする。これは、受信しない側の高周波増幅器をＯＦＦとすることによって、同調フィルタ５２あるいは６２を通過した高周波信号が、混合器５５あるいは６５へ供給されない。これによって、受信したい高周波信号のみの信号が中間周波信号へと変換されることとなる。
【０１０８】
尚、本発明の実施の形態１において、局部発振器５６のインダクタ６８は２０ｎＨであり、キャパシタ７０は２２ｐＦであり、可変容量ダイオード６９は２Ｖから２５Ｖにおいて３１ｐＦから２．７ｐＦまで可変させることができる可変容量ダイオードを用いている。
【０１０９】
この様に構成された局部発振器５６は、ＵＨＦ放送帯域受信時には、３５０ＭＨｚから８５０ＭＨｚの周波数を発振し、ＶＨＦハイバンド放送帯域受信時には、３５８ＭＨｚから８１４ＭＨｚまでの周波数を発振し、ＶＨＦロウバンド放送帯域受信時には、４０４ＭＨｚから６９２ＭＨｚまでの周波数を発振することができる。
【０１１０】
そしてさらに、ＵＨＦ放送帯域受信時には、局部発振器５６の発振信号はそのまま混合器５５に供給することにより４５．７５ＭＨｚの中間周波信号を得ている。一方ＶＨＦハイバンド放送帯域受信時には、局部発振器５６の発振信号は分周器６６ａで１／２に分周されて混合器６５に供給されることにより４５．７５ＭＨｚの中間周波信号を得ている。最後にＮＴＳＣ方式の放送においてはＶＨＦロウバンド放送帯域受信時に、局部発振器５６の発振信号は分周器６６ｂで１／４に分周されて混合器６５に供給することにより４５．７５ＭＨｚの中間周波信号を得ている。
【０１１１】
ここで、各チャンネルにおける単同調フィルタ５２、６２や複同調フィルタ５４、６４の同調電圧と、局部発振器の同調電圧を、各放送帯域において略同じ値としておくことが重要である。つまり、単同調フィルタ５２、６２や複同調フィルタ５４、６４のチャンネルに対しての同調電圧特性を、全ての放送帯域で近似させておく必要がある。これは、混合器５５や６５で中間周波数信号を得る為に、局部発振器５６と分周器とによって単同調フィルタ５２、６２や複同調フィルタ５４、６４の同調周波数と連動して常に中間周波数だけ高い信号を得ることが必要であるためである。そして、このことは、高周波受信装置において高周波信号を受信するにおいて、最も重要な基本性能である。
【０１１２】
このようにすることによって、ＶＨＦロウバンド放送帯域からＵＨＦ放送帯域までの５５．２５ＭＨｚから８０１．２５ＭＨｚまでの連続した米国のテレビジョン全チャンネルが受信できる訳である。
【０１１３】
そこで、本発明の実施の形態１においては、スイッチ７４及び７７によってキャパシタ７２、７３およびキャパシタ７５、７６を切り替えることで、局部発振器５６の構成する同調部の容量を微少変化させて、各受信放送帯域に適した同調電圧に対する局部発振周波数特性を得ている。
【０１１４】
なおここで、スイッチ７４を切り替えてキャパシタ７２、７３のいずれかをオンすると、発振用可変容量ダイオード６９と並列に容量が挿入される。これによって、発振用可変容量ダイオード６９の容量が小さい場合に、局部発振器５６の発振周波数に対する発振用可変容量ダイオード６９の容量値の寄与度が小さくなる。従って、発振用可変容量ダイオード６９の容量が小さくなる局部発振器５６の高域での発振周波数を特に変化させることができる。
【０１１５】
また、スイッチ７７を切り替えて、キャパシタ７５、７６のいずれかをオンとすると、キャパシタ７０に並列に容量が挿入されることとなる。これによって、発振用可変容量ダイオード６９と直列に接続される容量が小さくなる方向へ変化するので、この局部発振器５６における発振周波数に対し発振用可変容量ダイオード６９の寄与度が大きくなり、同調電圧に対する発振周波数の範囲を変化させることができる。
【０１１６】
これにより、これらのキャパシタ７２、７３、７５、７６の容量値を適宜選択すれば、ＵＨＦ放送帯域、ＶＨＦハイバンド放送帯域、ＶＨＦロウバンド放送帯域それぞれの周波数帯域において、夫々に独立してチャンネル（周波数）と同調電圧との特性を決定することができる。
【０１１７】
従って、これらのキャパシタ７２、７３、７５、７６の容量値を適宜選定することによって、各帯域における局部発振器５６の受信チャンネル（周波数）に対する同調電圧特性を、単同調フィルタ５２、６２及び複同調フィルタ５４、６４の受信チャンネル（周波数）に対する同調電圧特性に近似させる。そしてさらに、スイッチ７４、７７をオン、オフし、受信する周波数帯域に応じてこれらキャパシタ７２、７３、７５、７６を切り替えることによって、ＶＨＦ放送帯域からＵＨＦ放送帯域までの５５．２５ＭＨｚから８０１．２５ＭＨｚまでの連続した米国のテレビジョン全チャンネルが受信できることとなる。
【０１１８】
なお、実施の形態１における高周波受信装置においては、発振用可変容量ダイオード６９、可変容量ダイオード８４、８６、８９（図２）及び可変容量ダイオード９８、１０２、１０７（図３）の全てについて、略同じ容量変化特性を有したものを使用している。これによって、同調電圧に対する単同調フィルタ５２、６２や複同調フィルタ５４、６４そして局部発振器５６における同調部の同調電圧に対する同調周波数特性をそれぞれ近似させ易くしている。
【０１１９】
なおここで、これら発振用可変容量ダイオード６９、可変容量ダイオード８４、８６、８９（図２）及び可変容量ダイオード９８、１０２、１０７（図３）には、ＶＨＦ放送帯域に対応する単同調フィルタ６２の同調周波数を変化させるために必要な可変容量ダイオード９８と同じ容量変化比を有するものを使用している。
【０１２０】
その理由としては、ＶＨＦバンド、特にＶＨＦハイバンドに対して最も大きな容量変化比が必要となるためである。これによって発振用可変容量ダイオード６９、可変容量ダイオード８４、８６、８９（図２）及び可変容量ダイオード９８、１０２、１０７（図３）には全て同じ品番のものを使用することが出来るので、部品の管理は容易になる。また、部品装着時の部品間違いなどが生じ難くなる。
【０１２１】
次に本実施の形態１における分周器６６と混合器６５とについて以下図面を用いて詳細に説明する。図４は、分周器６６と混合器６５の詳細図である。
【０１２２】
図４において、５６は平衡回路によって構成した局部発振器であり、位相が０度と１８０度との信号を出力する。
【０１２３】
２０１は局部発振器５６の出力端子が接続された１／２分周器であり、入力された信号を１／２の周波数へ分周する２０２と２０３は、１／２分周器２０１の出力がスイッチ６７を介して入力されるベクトル合成器である。そして、１／２分周器２０１からの出力のうち２本の出力２０１ａは、夫々スイッチ２０４の共通端子に接続され、このスイッチ２０４の出力端子２０４ａが、スイッチ６７の入力端子６７ｂへ接続されている。
【０１２４】
次に、２０５はスイッチ２０４の端子２０４ｂの出力が接続された１／２分周器であり、この分周器２０５の４つの出力の夫々は、スイッチ６７の夫々の入力端子６７ｃへ供給される。
【０１２５】
ここで１／２分周器２０５は、１／２分周器２０１の２本の出力２０１ａから互いに１８０度の位相差を持った信号が入力され、互いに９０度の位相差を有した４つの信号を出力する。
【０１２６】
次に、２０６及び２０７はリミッタ回路であり、ベクトル合成器２０２、２０３の出力が接続されている。これらリミッタ回路は、ベクトル合成器からの入力信号をある一定のレベルに制限して混合器６５へ入力する。
【０１２７】
混合器６５は、混合器６５ａと混合器６５ａの出力に接続された９０度移相器６５ｃと、この混合器６５ａと移相器６５ｃとの直列接続体と並列に接続された混合器６５ｂより構成されている。
【０１２８】
そして、この混合器６５ａの一方の入力には複同調フィルタ６４の出力６４ｂが接続されるとともに、他方の入力にはリミッタ回路２０６の出力が接続されている。一方、混合器６５ｂの一方の入力には複同調フィルタ６４の出力６４ｂが接続されるとともに、他方の入力にはリミッタ回路２０７の出力が接続されている。そしてこれらの混合器６５ａの出力と９０度移相器６５ｃの出力とが出力端子７９へ供給される。
【０１２９】
そして、ＶＨＦハイバンド受信時には、スイッチ２０４を出力端子２０４ａ側へ接続するとともにスイッチ６７を入力端子６７ｂ側へ接続する。また、ＶＨＦロウバンド受信時には、スイッチ２０４を出力端子２０４ｂ側へ接続するとともに、スイッチ６７を６７ｃ側へ接続することによって、１／２分周器２０１とベクトル合成器２０２、２０３との間に１／２分周器２０５がさらに挿入されることとなる。つまりこれによってＶＨＦロウバンド受信時に局部発振器５６の信号は１／４の周波数に分周される。
【０１３０】
次に本実施の形態における分周器２０１、２０５とベクトル合成器２０２、２０３の動作について図面を用いて説明する。図５は、本実施の形態１における信号のタイムチャートである。
【０１３１】
図５において、信号１００１、１００２は局部発振器５６の発振信号であり、互いに位相が１８０度異なっている。そしてこの信号１００１、１００２が供給された分周器２０１は、互いに位相が９０度異なる信号１００３、１００４、１００５、１００６を出力する。
【０１３２】
一方、分周器２０５には信号１００５、１００６とが供給される。これによって、分周器２０５は、４つの互いに９０度位相が異なる信号１００７、１００８、１００９、１０１０を出力する。
【０１３３】
そしてこのベクトル合成器２０２は、位相０度と９０度との信号を合成し、位相４５度の信号を作成するとともに、位相１８０度と位相２７０度との信号を合成し、位相２２５度の信号を作成する。一方、ベクトル合成器２０３では、位相９０度と１８０度との信号を合成し、位相１３５度の信号を作成するとともに、位相０度と位相２７０度との信号を合成し、位相３１５度の信号とを作成する。これによりベクトル合成器２０２と２０３は、お互いに位相が９０度異なった信号を得ている。
【０１３４】
なお、本実施の形態１において１／２分周器２０１、２０５はフリップフロップ回路によって構成されている。従って、構成が容易であり、集積回路内へも収納しやすくなる。
【０１３５】
また、ベクトル合成器２０２、２０３とリミッタ回路２０６、２０７を設けているので、分周器２０１、２０５により位相誤差が発生した場合でも、９０度位相の異なる信号を確実に得ることができる。従って、本願のような広い帯域の周波数に対し、精度の良い位相を有した信号を得ることができるので、イメージ妨害を発生する信号に対する抑圧量を大きくできる。
【０１３６】
以上の構成により、局部発振器５６を分周して局部発振信号を得る構成においては、分周器６６のみで移相器を構成できるので、イメージ・リジェクション・ミキサの回路構成を小規模に抑えることができる。
【０１３７】
なお、本実施の形態１においては、分周器２０５への入力は信号１００５、１００６としたが、これは信号１００３、１００４としても良い。この場合においても互いに位相が９０度異なる信号１０１１、１０１２、１０１３、１０１４を得ることができる。つまり、分周器２０５は、位相が１８０度異なる信号が入力されれば、互いに９０度異なる４つの信号が出力される。
【０１３８】
また、イメージ・リジェクション・ミキサは混合器６５のみに用いられているので、回路構成を簡素化することができ、低価格かつ小型の高周波受信装置を実現することができる。
【０１３９】
さらに、イメージ・リジェクション・ミキサによってイメージ妨害を低減することができるので、単同調フィルタ６２や複同調フィルタ６４におけるイメージ妨害を発生する原因の信号に対する減衰量を緩和させることができる。例えば、複同調フィルタ６４の替わりに、ＶＨＦロウバンド受信時とＶＨＦハイバンド受信時とで夫々のカットオフ周波数を、ＶＨＦロウバンド放送帯域上限周波数とＶＨＦハイバンド放送帯域上限周波数とで切り替えるロウパスフィルタを用いることができる。
【０１４０】
さらにまた、局部発振器５６には、受信する受信帯域に応じて発振信号を単同調フィルタ６２や複同調フィルタ６４の周波数特性に連動するように変化させる発振周波数変化手段を有しているので、同調電圧に対する局部発振器の発振周波数の範囲を広くすることができ、たとえＵＨＦ放送帯域とＶＨＦ放送帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【０１４１】
そして、発振周波数変化手段によって受信する受信帯域に応じて発振信号を単同調フィルタ６２や複同調フィルタ６４の周波数特性に連動するように変化させるので、受信希望チャンネルにおける単同調フィルタ６２や複同調フィルタ６４における通過帯域の中心周波数と、受信希望チャンネル信号の周波数とを近づけることができる。従って、単同調フィルタ６２や複同調フィルタ６４は、不要な妨害信号を減衰させることができ、イメージ妨害を、さらに低減できる。
【０１４２】
また、本発明の実施の形態１においては、発振部７１、スイッチ７４と７７、分周器５７と６６、混合器５５と６５及びＰＬＬ回路７８とが１つのパッケージに集積された集積回路となっている。これにより、高周波受信装置を小型化することができる。
【０１４３】
さらに、この集積回路は、インダクタ６８の両端が接続する端子１２１と１２２、キャパシタ７２が接続する端子１２３とキャパシタ７３が接続する端子１２４とキャパシタ７５が接続する端子１２５とキャパシタ７６が接続する端子１２６を有している。そして、端子１２１と１２２との間に、端子１２３、１２４、１２５及び１２６を配置している。また、端子１２３と端子１２４は端子１２２に隣接して配置し、端子１２５と端子１２６は端子１２１に隣接して配置している。これにより、同調部を構成している可変容量ダイオード６９、インダクタ６８、キャパシタ７０、キャパシタ７２、キャパシタ７３、キャパシタ７５とキャパシタ７６の部品と集積化回路の端子１２１、端子１２２、端子１２３、端子１２４、端子１２５、端子１２６との接続が最短に配線することができ、不要な容量成分やインダクタ成分を低減して高品質設計が可能となる。
【０１４４】
（実施の形態２）
以下実施の形態２について図面を用いて説明する。図６は、実施の形態２における高周波受信装置のブロック図である。なお、図６において図１と同じものについては同じ番号を付し、その説明は簡略化している。
【０１４５】
図６において、実施の形態２における発振器３５６は、７００ＭＨｚから１７００ＭＨｚの周波数を発振する。つまり、実施の形態１の２倍の周波数を発振する局部発振器である。この場合、インダクタ３６８と可変容量ダイオード３６９とによって７００ＭＨｚから１７００ＭＨｚの周波数を発振させる。そして、キャパシタ３７２、３７３、３７５、３７６の値を適宜選定し、各受信バンド帯に対し、局部発振器３５６の周波数と、単同調フィルタ５２、６２や複同調フィルタ５４、６４の通過周波数との間の差が略中間周波数（４５．７５ＭＨｚ）となるように、単同調フィルタ５２、６２や複同調フィルタ５４、６４ならびに局部発振器３５６の同調電圧に対する変化特性を近似させる。
【０１４６】
次に本実施の形態２においては、混合器３５５もイメージ・リジェクション・ミキサの構成であり、分周器３６６ａの分周比は、１／４であり、分周器３６６ｂの分周比を１／８としている。そして、さらに局部発振器３５６と混合器３５５との間にも分周器３５７とスイッチ６７ａとが挿入されている。そして、これらの混合器３５５、３６５の出力は共に出力端子７９へ接続され、この出力端子７９の信号が中間周波フィルタ５８に供給される。
【０１４７】
次に、分周器３５７、３６６および混合器３５５、３６５について図面を用いて詳細に説明する。図７は、本実施の形態２における分周器と混合器部分の詳細ブロック図である。なお、図７において図１や図４、図５と同じものについては、同じ番号を付し、その説明は簡略化している。
【０１４８】
図７において、３５５ａはその一方の入力に複同調フィルタ５４の出力５４ｂが接続されると共に、他方の入力にはリミッタ回路２０６の出力が供給される混合器である。３５５ｂはその一方の入力に複同調フィルタ５４の出力５４ｂが接続されると共に、他方の入力にはリミッタ回路２０７の出力が供給される混合器であり、この混合器３５５ｂの出力には９０度移相器３５５ｃが設けられている。そしてこの混合器３５５ａは、混合器３５５ｂと９０度移相器３５５ｃとの直列接続体と並列に接続され、これら混合器３５５ａの出力と９０度移相器３５５ｃの出力とが出力端子７９へ供給されることとなる。
【０１４９】
一方、３６５ａは、その一方の入力に複同調フィルタ６４の出力６４ｂが接続されると共に、他方の入力にはリミッタ回路２０６の出力が供給される混合器である。また、３６５ｂは、その一方の入力に複同調フィルタ６４の出力６４ｂが接続されると共に、他方の入力にはリミッタ回路２０７の出力が供給される混合器であり、この混合器３６５ｂの出力には９０度移相器３６５ｃが設けられている。そしてこの混合器３６５ａは、混合器３６５ｂと９０度移相器３６５ｃとの直列接続体と並列に接続され、これら混合器３６５ａの出力と９０度移相器３６５ｃの出力とは出力端子７９へ供給されている。
【０１５０】
次に、本実施の形態２においてスイッチ６７は、３つの入力を有する切替スイッチであり、このスイッチ６７の共通端子がベクトル合成器２０２、２０３の入力に接続されている。さらに、スイッチ６７の端子６７ａと局部発振器３５６との間には、１／２分周器４０２を挿入し、そしてこの１／２分周器４０２は、局部発振器３５６より入力した信号を１／２の周波数へ分周するとともに、互いに９０度位相が異なる４つの信号を出力する。
【０１５１】
次に、分周器４０２の２本の出力４０２ａがスイッチ４０１の共通端子へ接続され、このスイッチ４０１の一方の端子４０１ａがスイッチ６７の端子６７ａに接続される。そして、スイッチ４０１の他方の端子４０１ｂが１／２分周器２０１の入力へ接続されるものである。本実施の形態２においては出力４０２ａからは、位相０度と位相１８０度の信号が出力されている。なお、分周器４０２への入力信号は、１８０度の位相差であればよく、分周器４０２からの位相９０度の信号と位相２７０度の信号とを用いても構わない。
【０１５２】
このような構成において、ＵＨＦバンド受信時には、スイッチ４０１を端子４０１ａ側へ接続するとともに、スイッチ６７を端子６７ａ側へ接続することによって、ベクトル合成器２０２、２０３へは局部発振器３５６の１／２の周波数信号が供給される。
【０１５３】
次に、ＶＨＦハイバンド受信時には、スイッチ４０１を端子４０１ｂ側へ接続するとともに、スイッチ６７を端子６７ｂ側に接続し、さらにスイッチ２０４を端子２０４ａ側へ接続することによって、１／２分周器４０２と１／２分周器２０１とが挿入されることとなる。従って、ベクトル合成器２０２、２０３へは局部発振器３５６の１／４の周波数信号が供給される。
【０１５４】
そして最後にＶＨＦロウバンド受信時には、スイッチ４０１を端子４０１ｂ側へ接続するとともに、スイッチ６７を端子６７ｃ側に接続し、さらにスイッチ２０４を端子２０４ｂ側へ接続することによって、１／２分周器４０２、２０１、２０５の３つの分周器が挿入されることとなる。従って、ベクトル合成器２０２、２０３へは局部発振器３５６の１／８の周波数信号が供給される訳である。
【０１５５】
以上の構成により、ベクトル合成器２０２、２０３には受信する帯域に係わらず位相が互いに９０度異なる４つの信号が供給されることとなる。そして、ＵＨＦ放送を受信する場合に、受信希望信号とベクトル合成器２０２、２０３の出力信号とを混合器３５５ａ、３５５ｂと９０度移相器３５５ｃを用いて混合する。これにより、ＵＨＦ信号受信部にもイメージ・リジェクション・ミキサが構成されるので、ＵＨＦ放送を受信する場合においてもイメージ妨害を低減することができる。
【０１５６】
イメージ・リジェクション・ミキサによってイメージ妨害を低減することができるので、単同調フィルタ５２や複同調フィルタ５４におけるイメージ妨害を発生する原因の信号に対する減衰量を緩和させることができる。例えば、複同調フィルタ５４の替わりに、ＵＨＦ放送帯域以上の信号を通過させるハイパスフィルタを用いることができる。
【０１５７】
また、ベクトル合成を行うことによって分周器４０２の出力信号に位相誤差が発生しても補正することができるので、広帯域に精度良く９０度位相差を得ることができる。従って、ＵＨＦ放送受信時においても妨害に強い高周波受信装置を実現することができる。
【０１５８】
（実施の形態３）
本実施の形態３では、実施の形態１におけるＶＨＦ信号受信部６１に対して、ＶＨＦハイバンドに対してはイメージ・リジェクション・ミキサを用い、ＶＨＦロウバンド受信に対してはハーモニック・リジェクション・ミキサを用いている。
【０１５９】
以下実施の形態３について、図面を用いて説明する。図８は、本実施の形態３における高周波受信装置のブロック図である。図８において、図１と同じものについては同じ番号を付しその説明は簡略化している。
【０１６０】
図８において、５１は入力端子である。この入力端子５１には５５．２５ＭＨｚから８０１．２５ＭＨｚまでの高周波信号が入力されるものである。
【０１６１】
５６０は、単同調フィルタ５２、高周波増幅器５３、複同調フィルタ５４、混合器５５及び中間周波フィルタ５８によって構成されるＵＨＦ信号受信部である。
【０１６２】
次に５６１は、入力端子５１の信号が供給されるＶＨＦ信号受信部であり、５５．２５ＭＨｚから３６１．２５ＭＨｚまでのＶＨＦ放送帯域の信号を受信するものである。なお、このＶＨＦ信号受信部５６１は、単同調フィルタ６２、高周波増幅器６３、ロウパスフィルタ５６４及び混合器５６５とがこの順に接続されている。
【０１６３】
５６４は高周波増幅器６３の出力が接続されたロウパスフィルタである。このロウパスフィルタ５６４は３６１．２５ＭＨｚ以下のＶＨＦ放送帯域の信号を通過させるものである。
【０１６４】
５６５は混合器であり、ロウパスフィルタ５６４の出力信号５６４ａがその一方に入力されるとともに、局部発振器５６の出力信号が分周器５６６を介してその他方に入力されている。ここで、この混合器５６５は、ロウパスフィルタ５６４を通過したＶＨＦ放送帯域の信号と局部発振器５６の信号とを混合して、中間周波信号（４５．７５ＭＨｚ）へ変換するものである。そして、この混合器５６５の出力は、出力端子７９を介して中間周波フィルタ５８の入力に接続される。
【０１６５】
ここで分周器５６６は、ＶＨＦロウバンド放送帯域受信時の分周器５６６ｂとＶＨＦハイバンド放送帯域受信時の分周器５６６ａとを有している。そして６７は、これら局部発振器５６の出力や分周器５６６ａ、５６６ｂの出力を選択的に切り替えて、混合器５６５へ供給する切り替えである。
【０１６６】
次に、本実施の形態３における高周波受信装置で、ＶＨＦハイバンド放送帯域（第１の周波数帯域の一例として用いた）とそのＶＨＦハイバンド放送帯域の下側に配列されているＶＨＦロウバンド放送帯域（第２の周波数帯域の一例として用いた）から成るＴＶ放送を受信する場合について説明する。
【０１６７】
局部発振器５６は、ＶＨＦハイバンド放送帯域受信時には、３５８ＭＨｚから８１４ＭＨｚまでの周波数を発振し、ＶＨＦロウバンド放送帯域受信時には、４０４ＭＨｚから６９２ＭＨｚまでの周波数を発振することができる。
【０１６８】
ＶＨＦハイバンド放送帯域受信時には、局部発振器５６の発振信号は分周器５６６ａで１／２に分周されて混合器５６５に供給されることにより４５．７５ＭＨｚの中間周波信号を得ている。最後にＮＴＳＣ方式の放送においてはＶＨＦロウバンド放送帯域受信時に、局部発振器５６の発振信号は分周器５６６ｂで１／４に分周されて混合器５６５に供給することにより４５．７５ＭＨｚの中間周波信号を得ている。
【０１６９】
次に本実施の形態３における分周器５６６と混合器５６５とについて図面を用いて詳細に説明する。図９は、分周器５６６と混合器５６５の詳細図である。図９において、図４と同じものについては同じ番号を付し、その説明は簡略化している。
【０１７０】
図９において、混合器５６５は、混合器６５ａと、これと並列に混合器６５ｂとこの混合器６５ｂの出力に接続された９０度移相器６５ｃが接続されている。そして、この混合器６５ａの一方の入力にはロウパスフィルタ５６４の出力５６４ａが接続されるとともに、他方の入力にはリミッタ回路２０６の出力が接続されている。一方、混合器６５ｂの一方の入力にはロウパスフィルタ５６４の出力５６４ａが接続されるとともに、他方の入力にはリミッタ回路２０７の出力が接続されている。
【０１７１】
スイッチ６７の共通端子は、１／２分周器の出力端子２０１ａ、２０１ｂに接続され、スイッチ６７の一方の端子６７ｄがベクトル合成器２０２、２０３へ接続される。
【０１７２】
次に６０１と６０２は、スイッチ６７の他方の端子６７ｅが接続された１／２分周器であり、共に１／２分周器２０１からの信号を１／２の周波数へ分周するものである。そして、１／２分周器６０１には、１／２分周器２０１の一方の出力２０１ｂから出力された信号がスイッチ６７を介して供給される。一方、１／２分周器６０２には１／２分周器２０１の他方の出力２０１ａから出力された信号がスイッチ６７を介して供給される。
【０１７３】
６０３、６０４は、１／２分周器６０１の互いに９０度異なる４つの出力信号が入力され、これらの信号をベクトル合成するベクトル合成器である。また、６０５、６０６は、１／２分周器６０２の互いに９０度異なる４つの出力信号が入力され、これらの信号をベクトル合成するベクトル合成器である。
【０１７４】
６０７、６０８、６０９、６１０はベクトル合成器６０３、６０４、６０５、６０６の夫々の出力が接続されたリミッタ回路である。そして、混合器５６５ｄ、５６５ｆ、５６５ｈ、５６５ｊの一方の入力には、夫々のリミッタ回路６０７、６０８、６０９、６１０の出力信号が入力されるとともに、他方の入力にはロウパスフィルタ５６４の出力５６４ａが接続されている。
【０１７５】
そして、混合器５６５ｄの出力には１３５度の移相器５６５ｅが接続され、混合器５６５ｆの出力には４５度の移相器５６５ｇが接続され、混合器５６５ｈの出力には９０度の移相器５６５ｉが接続され、これら混合器５６５ｊ、５６５ｅ、５６５ｇ、５６５ｉの出力が出力端子７９へ接続されている。
【０１７６】
なお、本実施の形態３において、ＶＨＦハイバンド受信時には、スイッチ６７を端子６７ｄ側へ接続することで、局部発振器５６の周波数の１／２の周波数が混合器６５ａ、６５ｂへ供給される。
【０１７７】
一方ＶＨＦロウバンド受信時には、スイッチ６７を端子６７ｅ側へ接続することで、１／２分周器２０１の出力を分周器６０１、６０２へ供給し、局部発振器５６の周波数の１／４の周波数を得ている。
【０１７８】
次に、本実施の形態３における分周器２０１、６０１、６０２ならびにベクトル合成器２０２、２０３、６０３、６０４、６０５、６０６の動作について図面を用いて説明する。図１０は、本実施の形態３における分周器６０１、６０２の信号タイムチャートである。図１０において、図５と同じものについては同じ番号を付しその説明は簡略化している。
【０１７９】
図１０において、１０２１、１０２２、１０２３、１０２４は、分周器６０１からの出力信号であり、分周器２０１の出力信号１００３、１００４の２つの信号を分周して得ている。なお、本実施の形態３においては、信号１０２１の位相が０度であり、信号１０２２の位相が９０度であり、信号１０２３の位相が１８０度であり、信号１０２４の位相が２７０度である。
【０１８０】
また、１０２５、１０２６、１０２７、１０２８は、分周器６０２の出力信号であり、分周器２０１の出力信号１００５、１００６の２つの信号を分周し得ている。なお、本実施の形態３において、信号１０２５の位相が４５度であり、信号１０２６の位相が１３５度であり、信号１０２７の位相が２２５度であり、信号１０２８の位相が３１５度である。
【０１８１】
これによって、局部発振器５６の発振信号は所定の周波数へ分周され、ベクトル合成器６０３、６０４、６０５、６０６から互いに位相が４５度異なった８つの信号１０２１、１０２２、１０２３、１０２４、１０２５、１０２６、１０２７、１０２８が出力されることとなる。つまり、ベクトル合成器６０３は、位相９０度の信号１０２２と位相１８０度の信号１０２３とを合成して、位相１３５度の信号を出力するとともに、位相０度の信号１０２１と位相２７０度の信号１０２４とを合成して、位相３１５度の信号を出力する。一方、ベクトル合成器６０４は、位相０度の信号１０２１と位相９０度の信号１０２２とを合成して、位相４５度の信号を出力するとともに、位相１８０度の信号１０２３と位相２７０度の信号１０２４とを合成して、位相２２５度の信号を出力する。
【０１８２】
さらに、ベクトル合成器６０５は、位相４５度の信号１０２５と位相１３５度の信号１０２６とを合成して、位相９０度の信号を出力するとともに、位相２２５度の信号１０２７と位相３１５度の信号１０２８とを合成して、位相２７０度の信号を出力する。そして最後にベクトル合成器６０６は、位相４５度の信号１０２５と位相３１５度の信号１０２８とを合成して、位相０度の信号を出力するとともに、位相１３５度の信号１０２６と位相２２５度の信号１０２７とを合成して、位相１８０度の信号を出力する。
【０１８３】
以上の構成によって、分周器２０１、６０１、６０２によって分周するとともに移相動作も行う。これによって、ＶＨＦハイバンド受信時には、混合器５６５ａと５６５ｂとでイメージ・リジェクション・ミキサ（以下ＩＲＭと言う）を構成し、ＶＨＦロウバンド受信時には、混合器５６５ｄ、５６５ｆ、５６５ｈ、５６５ｊとでハーモニック・リジェクション・ミキサ（以下ＨＲＭと言う）を構成する。従って、ＶＨＦハイバンド放送に対しては、イメージ妨害を低減することができる。また、ＶＨＦロウバンド放送に対しては、発明者らが特願２００２−３４２００４で記載したように、高次のＬＯ高調波による妨害を低減させることができる。なお、本実施の形態３におけるＨＲＭは４つの混合器より構成されるので、ＶＨＦロウバンド受信時の分周器５６６ｂの出力信号の５倍以下の高調波による妨害を低減することができる。
【０１８４】
また、このように局部発振器と分周器を備えた受信装置においては、ＶＨＦハイバンド用の分周器よりＶＨＦロウバンド用の分周器のほうが分周比を小さく設定するため、ＶＨＦハイバンドでＩＲＭを構成し、高次ＬＯ高調波の妨害が発生するＶＨＦロウバンドでＨＲＭを構成することができる。
【０１８５】
なお、このようにＩＲＭ及びＨＲＭによってイメージ妨害及びＬＯ高調波妨害を低減することができるので、本実施の形態３に示すようにロウパスフィルタを用いることができる。さらに、ＶＨＦロウバンドでＨＲＭ構成とすることで、ＬＯ高調波と妨害関係となるＶＨＦハイバンド放送信号の影響を低減できるため、ＶＨＦロウバンド用のロウパスフィルタを備える必要がなく、固定のＶＨＦロウパスフィルタ５６４のみで構成することができる。従って、受信装置のフィルタを、構造が複雑な同調型のフィルタを用いる必要はなく、低価格な高周波受信装置を実現することができる。また、固定フィルタであるので、希望信号自体の通過損失は小さくできる。従って、ＣＮの良好な高周波受信装置を実現することができる。
【０１８６】
さらに、本実施の形態３において１／２分周器２０１、２０５、６０１、６０２はすべてフリップフロップ回路によって構成されている。従って、構成が容易であり、集積回路内へも収納しやすくなる。
【０１８７】
さらにまた、ベクトル合成器２０２、２０３、６０３、６０４、６０５、６０６を設けているので、分周器２０１、２０５、６０１、６０２からの出力信号に位相誤差が発生しても、精度良く位相の異なる信号を得ることができる。従って、ＶＨＦ帯域のように広い帯域の周波数に対し、精度の良い位相を有した信号を得ることができ、イメージ妨害及びＬＯ高調波妨害に対して安定して抑圧することができる。
【０１８８】
また、本発明の実施の形態３においては、発振部７１、スイッチ７４と７７、分周器６６、混合器５５と５６５及びＰＬＬ回路７８とが１つのパッケージに集積された集積回路となっている。これにより、高周波受信装置を小型化することができる。
【０１８９】
（実施の形態４）
本実施の形態４における高周波受信装置は、ＶＨＦロウバンド放送の受信時にはＨＲＭとし、ＶＨＦハイバンド放送の受信時にはＨＲＭの一部を利用することによってＩＲＭとして働かせるものである。従って、混合器を共有することによって、回路構成規模の小型化と低価格化に寄与するものである。
【０１９０】
以下に実施の形態４について図面を用いて詳細に説明する。図１１は本実施の形態４における分周器と混合器との詳細ブロック図である。図１１において図４、図７、図８と同じものについては同じ番号を付し、その説明は簡略化している。以下その構成について図１１を用いて詳細に説明する。本実施の形態４においては、実施の形態１（図４）に示したイメージ・リジェクション・ミキサに対し、１／２分周器２０１の出力２０１ｂとスイッチ６７の端子６７ｂとの間にスイッチ７０１が挿入されているものである。なおこのスイッチ７０１は、１／２分周器２０１の出力がスイッチ７０１の共通端子へ供給されるとともに、その一方の端子７０１ａがスイッチ６７の端子６７ｂへ接続される。
【０１９１】
一方、スイッチ７０１の他方の端子７０１ｂの出力は１／２分周器６０１へと供給される。そして本実施の形態４においてスイッチ７０１は、スイッチ６７、２０４と連動して動作し、ＶＨＦハイバンド受信時にはスイッチ７０１を端子７０１ａ側へ接続するとともにスイッチ２０４を端子２０４ａ側とし、さらにスイッチ６７を端子６７ｂ側へ接続し、局部発振器５６と１／２分周器２０１とベクトル合成器２０２、２０３とリミッタ回路２０６、２０７と混合器６５ａ、６５ｂと９０度移相器６５ｃとでＩＲＭを構成する。一方、ＶＨＦロウバンド受信時には、スイッチ７０１を端子７０１ｂ側へ接続するとともにスイッチ２０４を端子２０４ｂ側とし、さらにスイッチ６７を端子６７ｃ側へ接続し、ＨＲＭを構成するものである。
【０１９２】
以上のような構成によって、ＶＨＦロウバンド受信時にはＨＲＭとして動作し、ＶＨＦハイバンド受信時にはＩＲＭとして働くので、混合器６５はＶＨＦ放送の全体域に対し共用することができる。従って、回路規模を小さくでき、小型な高周波受信装置を実現することができる。
【０１９３】
なお、本実施の形態４においては、ＶＨＦロウバンド受信時にスイッチ７０１を端子７０１ｂ側へ接続するとともにスイッチ２０４を端子２０４ｂ側とし、さらにスイッチ６７を端子６７ｃ側へ接続している。しかし、通常はスイッチ７０１を端子７０１ａへ接続するとともにスイッチ２０４を端子２０４ａ側とし、さらにスイッチ６７を端子６７ｂ側へ接続し、ＶＨＦロウバンド、ＶＨＦハイバンドの双方に対してＩＲＭとして用いても良い。なお、その場合には、受信希望信号を復号後のビットエラー率などを監視し、その値が予め定められた値以上に悪化した場合にのみスイッチ７０１を端子７０１ｂ側へ、スイッチ２０４を端子２０４ｂ側へ、さらにスイッチ６７を端子６７ｃ側へ切り替えれば良い。この場合、通常はＩＲＭとして用いられるので、動作回路部を少なくでき消費電流を小さくできる。そしてこれは本実施の形態４に示した高周波受信装置を特に携帯用の受信機などに用いる場合に有用である。
【産業上の利用可能性】
【０１９４】
本発明にかかる高周波受信装置とこれに用いる集積回路は、複数の受信バンドに対して局部発振器を共用し、かつ同調フィルタの減衰量を緩和してもイメージ妨害を低減できるという効果を有し、テレビ受信用の電子チューナなどの広帯域な高周波信号を受信する高周波受信装置に対し有用である。
【図面の簡単な説明】
【０１９５】
【図１】本発明の実施の形態１における高周波受信装置のブロック図
【図２】同、ＵＨＦ帯を受信する同調フィルタの回路図
【図３】同、ＶＨＦ帯を受信する同調フィルタの回路図
【図４】同、分周器と混合器との詳細ブロック図
【図５】同、信号図
【図６】本発明の実施の形態２における高周波受信装置のブロック図
【図７】同、分周器と混合器との詳細ブロック図
【図８】本発明の実施の形態３における高周波受信装置のブロック図
【図９】同、分周器と混合器との詳細ブロック図
【図１０】同、信号図
【図１１】本発明の実施の形態４における分周器と混合器との詳細ブロック図
【図１２】従来の高周波受信装置のブロック図
【符号の説明】
【０１９６】
５１  入力端子
５２  単同調フィルタ
５４  複同調フィルタ
５５  混合器
５６  局部発振器
５９  出力端子
６０  ＵＨＦ信号受信部
６１  ＶＨＦ信号受信部
６２  単同調フィルタ
６４  複同調フィルタ
６５  混合器
６６  分周器
７８  ＰＬＬ回路
【図１】
2005123690.tif 000003
【図２】
2005123690.tif 000004
【図３】
2005123690.tif 000005
【図４】
2005123690.tif 000006
【図５】
2005123690.tif 000007
【図６】
2005123690.tif 000008
【図７】
2005123690.tif 000009
【図８】
2005123690.tif 000010
【図９】
2005123690.tif 000011
【図１０】
2005123690.tif 000012
【図１１】
2005123690.tif 000013
【図１２】
2005123690.tif 000014